(57)【要約】【課題】簡便な方法で中間転写体上への画像形成性と転写性を両立することができるインクジェット記録装置及び画像形成方法を提供する。【解決手段】少なくとも１次画像が形成される画像形成領域に温度によって濡れ性が異なる感温性材質を含む中間転写ベルト１２と、中間転写ベルト１２にインクを打滴する印字部１４と、画像形成領域に形成された１次画像を記録媒体１８に転写する転写部２０と、少なくとも印字部１４と対向する位置における中間転写ベルト１２を冷却する冷却部２６と、転写部２０に含まれる背面ローラ２０Ａ及び転写ローラ２０Ｂに内蔵され、転写時の中間転写ベルト１２を加熱するヒータと、を備え、冷却部２６によって画像形成時の中間転写ベルト１２が親液性となる温度以下に冷却し、ヒータによって転写時の中間転写ベルト１２が撥液性となる温度以上に加熱することを特徴とする。【選択図】図１
2009214439.tif 000002
【特許請求の範囲】
【請求項１】
インクを吐出して記録を行なうインクジェット記録装置において、
インクを吐出するインク吐出手段と、
前記インク吐出手段から吐出されたインクによって形成された画像を一時的に保持するとともに、前記画像を保持する画像形成領域は温度によってインク濡れ性が異なる性質を有する中間転写体と、
前記中間転写体を所定の移動方向に移動させる移動手段と、
前記中間転写体に一時的に保持された画像を記録媒体に転写する転写手段と、
前記インク吐出手段から吐出されたインクによって画像が形成される画像形成時には前記画像形成領域が親液性となり、前記転写手段において前記中間転写体から前記記録媒体に画像を転写する転写時には前記画像形成領域が撥液性となるように、前記中間転写体の温度を可変させる温度可変手段と、
を備えたことを特徴とするインクジェット記録装置。
【請求項２】
前記中間転写体の少なくとも前記画像形成領域は、温度によってインク濡れ性の異なる感温性材質を含むことを特徴とする請求項１記載のインクジェット記録装置。
【請求項３】
前記中間転写体の前記画像を保持する面に温度によってインク濡れ性の異なる感温性材質を塗布する感温性材質塗布手段を備えたことを特徴とする請求項１記載のインクジェット記録装置。
【請求項４】
前記画像形成時の前記中間転写体の表面のエネルギーγ１と、前記転写時の前記中間転写体の表面のエネルギーγ２は、次式
γ１−γ２≧５（ｍＮ／ｍ）
を満たすことを特徴とする請求項１、２又は３記載のインクジェット記録装置。
【請求項５】
前記画像形成時の前記中間転写体の水に対する接触角α１と、前記転写時の前記中間転写体の水に対する接触角α２は、次式
α２−α１≧１０°
を満たすことを特徴とする請求項１乃至４のうち何れか１項に記載のインクジェット記録装置。
【請求項６】
前記温度可変手段は、少なくとも前記インク吐出手段と対向する位置において前記中間転写体を冷却する冷却手段と、
前記転写手段による転写処理領域において前記中間転写体を所定の転写温度に加熱する加熱手段と、
を含むことを特徴とする請求項１乃至５のうち少なくとも何れか１項に記載のインクジェット記録装置。
【請求項７】
前記冷却手段は、前記インク吐出手段の前記中間転写体移動方向上流側から前記インク吐出手段と対向する位置にわたって設けられることを特徴とする請求項６記載のインクジェット記録装置。
【請求項８】
前記温度可変手段は、前記インク吐出手段の前記中間転写体移動方向上流側に設けられ、前記中間転写体を冷却する冷却手段と、
前記転写手段による転写処理領域において前記中間転写体を所定の転写温度に加熱する加熱手段と、
を含むことを特徴とする請求項１乃至５のうち少なくとも何れか１項に記載のインクジェット記録装置。
【請求項９】
前記インク吐出手段と前記転写手段との間に前記中間転写体上の溶媒を除去する溶媒除去手段を備え、
前記冷却手段は、前記インク吐出手段の前記中間転写体移動方向上流側の所定の位置から前記溶媒除去手段に対応する位置にわたって設けられることを特徴とする請求項６又は７記載のインクジェット記録装置。
【請求項１０】
前記冷却手段の近傍に設けられ、内部に冷却媒を有する熱輸送手段を備えることを特徴とする請求項６乃至９のうち何れか１項に記載のインクジェット記録装置。
【請求項１１】
前記熱輸送手段は、前記加熱手段と前記冷却手段とを連結するとともに、前記加熱手段は前記冷却手段から発生した熱を利用することを特徴とする請求項１０記載のインクジェット記録装置。
【請求項１２】
温度によってインク濡れ性が異なる性質を有する中間転写体の画像形成領域にインクを吐出して画像を形成するとともに当該画像を一時的に保持し、当該画像を記録媒体に転写する画像形成方法であって、
前記中間転写体にインクによって画像が形成される画像形成時には前記画像形成領域が親液性となり、前記転写手段において前記中間転写体から前記記録媒体に画像を転写する転写時には前記画像形成領域が撥液性となるように前記中間転写体の温度を可変させることを特徴とする画像形成方法。
【発明の詳細な説明】
【技術分野】
【０００１】
本発明はインクジェット記録装置及び画像形成方法に係り、特にインク液滴によって中間転写体上に画像を形成した後に中間転写体上の画像を記録媒体に転写記録する中間転写インクジェット記録方式における画像形成技術に関する。
【背景技術】
【０００２】
現在、汎用の画像形成装置としてインクジェット記録装置が普及している。インクジェット記録装置は、インクジェットヘッドからインク液滴を吐出して記録メディア上に高精細な画像を形成する出力装置として広く活用されている。近年、更なる画像形成における信頼性向上を目的として、中間転写型インクジェット（ＩＪ）記録方式が提案されている。インクジェットヘッドの吐出ノズル近傍は高度な加工技術を用いて作製されているが、吐出時の条件は非常に厳しくなっているため、直接記録型ＩＪ方式では高速に多量の枚数を処理することが困難であった。例えば、記録メディアをインクジェットノズル近傍に搬送する直接記録ＩＪ方式では、記録メディアに搬送エラーが生じた場合に記録メディアがインクジェットヘッドノズルに接触することがあり、その結果、ノズル近傍が損傷してしまい、その後の画像形成において着弾位置ずれや不吐出が生じるといった問題があった。また、記録メディアに紙を用いた場合、搬送時に生じる紙塵がノズル面に付着することがあり、不吐出や画質低下が生じる問題もあった。したがって、中間転写型ＩＪ方式は直接記録型ＩＪ記録方式に対して信頼性向上において有効な方式である。
【０００３】
また、中間転写型ＩＪ方式は、画質においても直接記録型ＩＪ方式よりも有利であるといえる。直接記録型ＩＪ方式における描画は紙メディアにインクを浸透させて画像を保持しているため、インク吸収層のない普通紙ではインクにじみが生じてしまい、十分な解像度を得ることができなかった。一方、中間転写型ＩＪ方式は直接記録型ＩＪ方式に比べて、ヘッドと記録メディアとの間のギャップ低減による画質向上、中間転写体上でドット形状や着弾液滴サイズを制御するため多様なメディアで一律な画質が保証できるメディアフリー化、更に、中間転写体上における不用な溶媒を処理して紙のカールやカックルを抑制できる等のメリットがある。
【０００４】
しかし、中間転写型ＩＪ方法では，中間転写体への画像形成性と、中間転写体から記録媒体への画像の転写性を両立させることが困難であった。画像形成性を良化するためには中間転写体はインクへの濡れ性の高い材料が好ましく、一方、転写性を良化するためには中間転写体は撥インク性の高い材料が好ましく、この相反する条件の両立は非常に困難であるといえる。
【０００５】
特許文献１には、離型性の表面を有する中間転写体にエネルギーの付与による前記表面の改質処理を施し、離型性の表面層を有する中間転写体にブリーディングやビーディングを生じさせることなくインク画像を形成し、そのインク画像を記録媒体に良好な状態で転写する技術が開示されている。
【特許文献１】特開２００５−１４２５６号公報
【発明の開示】
【発明が解決しようとする課題】
【０００６】
特許文献１には、エネルギー付与手段として紫外線照射、フレーム処理、コロナ放電処理、プラズマ処理などが開示されているが、非常に大掛かりな構成になるため装置搭載上適切ではない。また、特に好ましいとされているプラズマ処理はインクを介して漏電の恐れもあるため、安全上好ましい方法ではない。
【０００７】
本発明はこのような事情に鑑みてなされたもので、簡便な方法で中間転写体上への画像形成性と転写性を両立することができるインクジェット記録装置及び画像形成方法を提供することを目的とする。
【課題を解決するための手段】
【０００８】
上記目的を達成するために、本発明に係るインクジェット記録装置は、インクを吐出して記録を行なうインクジェット記録装置において、インクを吐出するインク吐出手段と、前記インク吐出手段から吐出されたインクによって形成された画像を一時的に保持するとともに、前記画像を保持する画像形成領域は温度によってインク濡れ性が異なる性質を有する中間転写体と、前記中間転写体を所定の移動方向に移動させる移動手段と、前記中間転写体に一時的に保持された画像を記録媒体に転写する転写手段と、前記インク吐出手段から吐出されたインクによって画像が形成される画像形成時には前記画像形成領域が親液性となり、前記転写手段において前記中間転写体から前記記録媒体に画像を転写する転写時には前記画像形成領域が撥液性となるように、前記中間転写体の温度を可変させる温度可変手段と、を備えたことを特徴とする。
【０００９】
本発明によれは、中間転写方式を適用したインクジェット記録装置において、中間転写体の少なくとも画像形成領域は温度によって親液性と撥液性を切り換え可能な性質を有するので、画像形成時には親液性を発揮させるとともに転写時には撥液性を発揮させるように当該画像形成領域の温度を切り換えることで、好ましい画像形成性と好ましい転写性の両立が可能となる。
【００１０】
中間転写体の画像形成領域は、インク吐出手段からインクが吐出される面（画像形成面）に設けられる。なお、温度によって濡れ性が異なる領域は少なくとも1次画像が形成される画像形成領域であればよく、もちろん、画像形成領域を含む画像形成面全体でもよい。また、画像形成領域の温度を切り換える場合に、少なくとも画像形成領域の温度を切り換えればよい。
【００１１】
中間転写体は、複数のローラに巻き掛けられた無端状ベルトが好ましい。なお、中間転写体には、ベルト形状以外にもドラム形状は平板形状など様々な形態が適用可能である。ただし、あらゆるサイズの記録媒体に対応して連続的に印刷を行うためには、ベルト形状やドラム形状が好ましく、更に、本発明のようにインク吐出手段の直下の画像形成領域と転写手段とで温度を切り換える形態をとる場合には、画像形成領域と転写手段との距離を取れるベルト形状がより好ましい形態といえる。
【００１２】
インク吐出手段によって中間転写体上に画像が形成された後に、中間転写体上の余分な溶媒成分を除去する溶媒除去手段と、転写後の中間転写体をクリーニングするクリーニング手段を備える態様が好ましい。また、インクを増粘または凝集（不溶化）させる機能を有する記録性向上液を中間転写体に塗布した後に、インク打滴手段によってインクを打滴する態様も好ましい。
【００１３】
温度可変手段は、画像形成時には画像形成領域（感温性材質）が親液性を示す温度範囲となるように画像形成領域の温度を維持するとともに、転写時には画像形成領域（感温性材質）が撥液性を示す温度範囲となるように画像形成領域の温度を維持するように画像形成領域の温度を切り換える。
【００１４】
請求項２に記載の発明は、請求項１記載のインクジェット記録装置の一態様に係り、前記中間転写体の少なくとも前記画像形成領域は、温度によってインク濡れ性の異なる感温性材質を含むことを特徴とする。
【００１５】
請求項２に記載の発明によれば、温度によって濡れ性の異なる感温性材質を画像形成領域に用いると、画像形成時と転写時の当該画像形成領域の温度を切り換えることで、画像形成時に親液性とし、転写時の撥液性とするように中間転写体の表面の濡れ性を切り換えることが可能である。
【００１６】
中間転写体は、感温性材質を適用した表面層と、該表面層を裏側から支持する支持層と、を含む態様が好ましい。更にまた、表面層の表面は所定の弾性を有する態様がより好ましい。
【００１７】
請求項３に記載の発明は、請求項１記載のインクジェット記録装置の一態様に係り、前記中間転写体の前記画像を保持する面に温度によってインク濡れ性の異なる感温性材質を塗布する感温性材質塗布手段を備えたことを特徴とする。
【００１８】
請求項３に記載の発明によれば、中間転写体に画像を形成するたびに中間転写体に感温性材質を塗布するので、磨耗などによって中間転写体の表面状態が変化することがなく、連続動作性の向上が見込まれる。
【００１９】
感温性材質を加熱する感温性材質加熱手段を備え、加熱によって感温性材質を塗布しやすい状態にした後に当該感温性材質を中間転写体に塗布する態様が好ましい。
【００２０】
請求項４に記載の発明は、請求項１、２又は３記載のインクジェット記録装置の一態様に係り、前記画像形成時の前記中間転写体の表面のエネルギーγ１と、前記転写時の前記中間転写体の表面のエネルギーγ２は、次式γ１−γ２≧５（ｍＮ／ｍ）を満たすことを特徴とする。
【００２１】
請求項４に記載の発明によれば、水性インク、油性インクなど、インク溶媒の種類によらず好ましい画像形成性及び好ましい転写性を実現可能である。
【００２２】
請求項５に記載の発明は、請求項１乃至４のうち何れか１項に記載のインクジェット記録装置の一態様に係り、前記画像形成時の前記中間転写体の水に対する接触角α１と、前記転写時の前記中間転写体の水に対する接触角α２は、次式α２−α１≧１０°を満たすことを特徴とする。
【００２３】
請求項５に記載の発明によれば、水性インクを用いる場合には、転写時における中間転写体の水に対する接触角α２が画像形成時の前記中間転写体の水に対する接触角α１よりも１０°以上大きい値であれば、好ましい画像形成性及び好ましい転写性を実現可能である。
【００２４】
請求項６に記載の発明は、請求項１乃至５のうち少なくとも何れか１項に記載のインクジェット記録装置の一態様に係り、前記温度可変手段は、少なくとも前記インク吐出手段と対向する位置において前記中間転写体を冷却する冷却手段と、前記転写手段による転写処理領域において前記中間転写体を所定の転写温度に加熱する加熱手段と、を含むことを特徴とする。
【００２５】
請求項６に記載の発明によれば、画像形成時には中間転写体が親液性を発現する温度以下となるように中間転写体を冷却し、転写時には中間転写体が撥液性を発現する温度以上となるように中間転写体を加熱することで、冷却及び加熱によって中間転写体の表面性を好適に切り換え可能である。
【００２６】
画像形成時及び転写時の中間転写体の温度を検出する温度検出手段を備え、温度検出手段の検出結果に基づいて、画像形成時及び転写時の中間転写体の温度が所定の温度になるように冷却手段及び加熱手段を制御する態様が好ましい。
【００２７】
請求項７に記載の発明は、請求項６記載のインクジェット記録装置の一態様に係り、前記冷却手段は、前記インク吐出手段の前記中間転写体移動方向上流側から前記インク吐出手段と対向する位置にわたって設けられることを特徴とする。
【００２８】
請求項７に記載の発明によれば、画像形成に先立って中間転写体を冷却するので、画像形成時において確実に画像形成領域が親液性を発現する温度とすることができる。
【００２９】
転写後の中間転写体をクリーニングするクリーニング手段を備える態様では、中間転写体の移動経路における、クリーニング手段の中間転写体移動方向下流側であり、インク吐出手段の上流側の所定の位置からインク吐出手段の直下にわたって冷却手段を配設する態様が好ましい。
【００３０】
請求項８に記載の発明は、請求項１乃至５のうち少なくとも何れか１項に記載のインクジェット記録装置の一態様に係り、前記温度可変手段は、前記インク吐出手段の前記中間転写体移動方向上流側に設けられ、前記中間転写体を冷却する冷却手段と、前記転写手段による転写処理領域において前記中間転写体を所定の転写温度に加熱する加熱手段と、を含むことを特徴とする。
【００３１】
請求項８に記載の発明によれば、画像形成に先立ち中間転写体を冷却するので、画像形成直前までに画像形成領域が親液性を発揮する温度以下とすることができる。また、インク吐出手段の直下に冷却手段を備える態様に比べて冷却手段を小型化できるとともに、インク吐出手段近傍の構造を簡素化することができる。
【００３２】
請求項９に記載の発明は、請求項６又は７記載のインクジェット記録装置の一態様に係り、前記インク吐出手段と前記転写手段との間に前記中間転写体上の溶媒を除去する溶媒除去手段を備え、前記冷却手段は、前記インク吐出手段の前記中間転写体移動方向上流側の所定の位置から前記溶媒除去手段に対応する位置にわたって設けられることを特徴とする。
【００３３】
請求項９に記載の発明によれば、中間転写体へ画像形中から画像形成後（転写の直前）まで中間転写体の画像形成領域は親液性が維持されるので、画像形成後の中間転写体の移動による画像乱れを回避することができる。
【００３４】
請求項１０に記載の発明は、請求項６乃至９のうち何れか１項に記載のインクジェット記録装置の一態様に係り、前記冷却手段の近傍に設けられ、内部に冷却媒を有する熱輸送手段を備えることを特徴とする。
【００３５】
請求項１０に記載の発明によれば、冷却効率の向上が見込まれる。
【００３６】
請求項１１に記載の発明は、請求項１０記載のインクジェット記録装置の一態様に係り、前記熱輸送手段は、前記加熱手段と前記冷却手段とを連結するとともに、前記加熱手段は前記冷却手段から発生した熱を利用することを特徴とする。
【００３７】
請求項１１に記載の発明によれば、冷却手段によって発生した廃熱を加熱手段に活用でき、装置内の省電力化（省エネルギー化）が見込まれる。
【００３８】
また、本発明は上記目的を達成するための方法発明を提供する。即ち、請求項１２に記載の画像形成方法は、温度によってインク濡れ性が異なる性質を有する中間転写体の画像形成領域にインクを吐出して画像を形成するとともに当該画像を一時的に保持し、当該画像を記録媒体に転写する画像形成方法であって、前記中間転写体にインクによって画像が形成される画像形成時には前記画像形成領域が親液性となり、前記転写手段において前記中間転写体から前記記録媒体に画像を転写する転写時には前記画像形成領域が撥液性となるように前記中間転写体の温度を可変させることを特徴とする。
【００３９】
中間転写体の少なくとも画像形成領域に温度によって濡れ性が異なる感温性材質を塗布する感温性材質塗布工程を備え、画像形成領域に感温性材質を塗布したのちにインクを打滴して画像を形成する態様も好ましい。また、中間転写体の少なくとも画像形成領域は、温度によって濡れ性が異なる感温性材質を含む態様も好ましい。
【００４０】
画像形成後、かつ、転写前の中間転写体の溶媒を除去する溶媒除去工程と、インク吐出前の中間転写体をクリーニングするクリーニング工程と、を備える態様が好ましい。また、インクを増粘または凝集（不溶化）させる記録性向上液を塗布したのちにインクを打滴する態様も好ましい。
【発明の効果】
【００４１】
本発明によれは、中間転写方式を適用したインクジェット記録装置において、中間転写体の少なくとも画像形成領域は温度によって親液性と撥液性を切り換え可能な性質を有するので、画像形成時には親液性を発揮させるとともに転写時には撥液性を発揮させるように当該画像形成領域の温度を切り換えることで、好ましい画像形成性と好ましい転写性の両立が可能となる。
【発明を実施するための最良の形態】
【００４２】
以下、添付図面に従って本発明の好ましい実施の形態について詳説する。
【００４３】
〔第１実施形態〕
＜装置の全体構成＞
図１は、本発明の実施形態に係るインクジェット記録装置１０の概略構成を示す全体構成図である。本実施形態のインクジェット記録装置１０は、非浸透媒体たる中間転写ベルト１２上に画像(１次画像)を記録した後に、普通紙等の記録媒体１８に転写を行って本画像（２次画像）を形成する転写方式が適用された記録装置であり、主な構成要素として、中間転写ベルト１２に対して黒（Ｋ）、シアン（Ｃ）、マゼンダ（Ｍ）、イエロー（Ｙ）、ライトシアン（ＬＣ）、ライトマゼンダ（ＬＭ）の各色に対応するヘッド１４Ｋ，１４Ｃ，１４Ｍ，１４Ｙ，１４ＬＣ，１４ＬＭを備えた印字部１４と、印字後の中間転写体上の溶媒成分を除去する溶媒除去部１６と、中間転写ベルト１２上に形成されたインク画像を記録媒体１８に対して転写を行う転写部２０と、不図示の給紙トレイから記録媒体１８を転写部２０に搬送する記録媒体搬送部１９と、転写後の記録媒体１８に対して記録画像の定着処理を施す定着ローラ対２２と、定着処理後の記録媒体１８を装置外部に排出する排出搬送部（不図示）と、中間転写ベルト１２を清掃するクリーナー２４と、中間転写ベルト１２を冷却する冷却部２６と、を備えて構成される。
【００４４】
中間転写ベルト１２には無端状ベルトが適用される。この中間転写ベルト１２は複数のローラ（図１では２つの張架ローラ２８Ａ、２８Ｂと、背面ローラ２０Ａを図示したが、ベルトの巻き掛け形態は本例に限定されない）に巻き掛けられた構造を有し、張架ローラ２８Ａ、２８Ｂ及び背面ローラ２０Ａの少なくとも１つにモータ（図１中不図示、図７に符号８８として図示）の動力が伝達されることにより、中間転写ベルト１２は、図１において時計回り方向（矢印Ａで示す中間転写ベルト搬送方向）に駆動される。
【００４５】
中間転写ベルト１２は、印字部１４と対向する表面（画像形成面）１２Ａの少なくとも１次画像が形成される画像形成領域（不図示）について、温度によってインク濡れ性の異なる感温性材料を含んでおり、冷却部２６によって中間転写ベルト１２を冷却して所定の温度以下にするとともに、加熱して所定の温度を超える温度にすることで中間転写ベルト１２の画像形成面１２Ａの濡れ性を可変させることができる。即ち、中間転写ベルト１２の画像形成面１２Ａの少なくとも画像形成領域は、所定の境界温度以下で親液性を示すとともに当該境界温度を超える温度で撥液性を示す感温性材料が適用される。
【００４６】
印字部１４は、黒（Ｋ）、シアン（Ｃ）、マゼンダ（Ｍ）イエロー（Ｙ）、ライトシアン（ＬＣ）、ライトマゼンダ（ＬＭ）の各インク色に対応したインクジェット方式の液体吐出ヘッド（以下「ヘッド」という。）１４Ｋ，１４Ｃ，１４Ｍ，１４Ｙ，１４ＬＣ，１４ＬＭを備える。
【００４７】
中間転写ベルト１２上に印字部１４の各ヘッド１４Ｋ，１４Ｃ，１４Ｍ，１４Ｙ，１４ＬＣ，１４ＬＭから画像信号に応じて各色（Ｋ，Ｃ，Ｍ，Ｙ，ＬＣ，ＬＭ）のインクを吐出して中間転写ベルト１２の画像形成面１２Ａに打滴を行う。インクには成膜性を有するポリマー樹脂（微粒子）を含有しておくことも可能であり、かかる態様の場合、転写工程や定着工程により、画像の耐擦性や保存安定性が向上する。
【００４８】
上記のように、画像形成面１２Ａ上に着弾したインクによって１次画像が形成されると、印字部１４の中間転写ベルト搬送方向下流側に設けられた溶媒除去部１６によって中間転写ベルト１２上の余分な溶媒（残溶媒）成分が除去される。図１には溶媒除去部１６の構成として、溶媒除去ローラ（多孔質材による吸収ローラや表面に液保持用の凹凸を有するローラなど）１６Ａ、１６Ａと、溶媒除去ローラ１６Ａの中間転写ベルト１２の反対側面を支持する支持部材１６Ｂと、を備える構成を例示する。
【００４９】
図１に詳細な図示は省略するが、２つの溶媒除去ローラ１６Ａは中間転写ベルト１２の幅方向（中間転写ベルト搬送方向と直交する方向）における位相をずらして配置され、２つの溶媒除去ローラ１６Ａで中間転写ベルト１２の全幅に対応している。なお、中間転写ベルト１２の幅方向の略中央部は２つの溶媒除去ローラ１６Ａの両方によって溶媒除去が行われる領域が存在している。
【００５０】
溶媒除去ローラ１６Ａは多孔質体が好適に用いられる。また、溶媒除去ローラ１６Ａで吸収した余剰なインク（溶媒）は、溶媒除去ローラ１６Ａの内側または外側からポンプで吸引して溶媒を回収するように構成する態様が好ましい。
【００５１】
余剰な溶媒が転写時に記録媒体１８に付着し、更に当該溶媒が記録媒体１８に浸透することで記録媒体１８にカールやカックルが発生することがある。記録媒体１８にカールやカックルが発生すると品質を損なうことになる。したがって、カールやカックル防ぐために、溶媒除去部１６を備えて転写前に余分な溶媒成分を除去しておくことが好ましい。
【００５２】
なお、溶媒除去部１６には、図１に示す溶媒除去ローラ以外にも、熱乾燥、エアナイフ等の溶媒除去方法が考えられるが、エネルギー効率と除去後の溶媒回収を考慮すると、図１に示す溶媒除去ローラ１６Ａによって溶媒を吸収する方法が好ましい。図１には同一の溶媒除去ローラ１６Ａを中間転写ベルト搬送方向に沿って２つ並べる態様を例示したが、溶媒除去部１６の構成は図１に示す態様に限定されず、他の構成（例えば、中間転写ベルト１２の全幅に対応する長さを有する溶媒除去ローラを１つ備える態様や、３つ以上のローラを中間転写ベルト１２の全幅にわたって千鳥に並べる態様）を適用してもよい。
【００５３】
一方、溶媒除去ローラ１６Ａの数が多い程、より多くの溶媒を除去できるが、その反面、それぞれの溶媒除去ローラ１６Ａに溶媒回収機構が必要となる等、構造が複雑となる。また、除去ローラ１６Ａを定期的に交換する負荷も増えるので、溶媒除去ローラの数は中間転写ベルト１２に全幅に応じて決められる。
【００５４】
溶媒除去部１６によって溶媒除去処理が行われると、中間転写ベルト１２を更に搬送して１次画像（画像形成領域）を転写部２０へ搬送する。
【００５５】
転写部２０は、ヒータ（図１中不図示、図７に複数のヒータを代表して符号８９で図示）を有した背面ローラ２０Ａと、これに対向して配置され、加熱用のヒータを内蔵した加圧ニップ用の転写ローラ２０Ｂとを含んで構成される。
【００５６】
図１に示すように、背面ローラ２０Ａと転写ローラ２０Ｂの間に中間転写ベルト１２と記録媒体１８とを挟み込み、所定の転写温度に加熱しながら所定のニップ圧で加圧することにより、中間転写ベルト１２上に形成された１次画像を記録媒体１８に転写する構成となっている。
【００５７】
転写部２０における転写時のニップ圧を調整するための手段としては、例えば、背面ローラ２０Ａまたは転写ローラ２０Ｂ、若しくはその両方を図１の上下方向に移動させる機構（駆動手段）が挙げられる。
【００５８】
転写時のニップ圧や転写温度については、中間転写ベルト１２の画像形成領域の濡れ性が撥液性を示す温度以上に設定される。即ち、転写時の中間転写ベルト１２の画像形成領域を撥液性にすることで、好ましい転写性を実現している。なお、転写時の加熱温度を高くしすぎると中間転写ベルト１２の変形等の問題があるので、転写温度は中間転写ベルト１２の変形等の発生しない温度以下の温度に設定される。
【００５９】
記録媒体１８の供給部（給紙部）の構成について、詳細は図示しないが、ロール紙（連続用紙）のマガジンを備える態様、或いは、ロール紙のマガジンに代えて、またはこれと併用して、カット紙が積層装填されたカセットによって用紙を供給する態様がある。ロール紙を使用する装置構成の場合、裁断用のカッターが設けられており、該カッターによってロール紙は所望のサイズにカットされる。紙幅や紙質等が異なる複数のマガジンやカセットを併設してもよい。
【００６０】
複数種類の記録媒体を利用可能な構成にした場合、メディアの種類情報を記録したバーコード或いは無線タグなどの情報記録体をマガジンに取り付け、その情報記録体の情報を所定の読取装置によって読み取ることで、使用される記録媒体の種類（メディア種）を自動的に判別し、メディア種に応じて適切なインク吐出を実現するようにインク吐出制御を行うことが好ましい。
【００６１】
本例に適用される記録媒体１８の具体例を挙げると、普通紙（上質紙、再生紙を含む）、インクジェット専用紙などの浸透性媒体、コート紙などの非浸透性または低浸透性の媒体、裏面に粘着剤と剥離ラベルの付いたシール用紙、ＯＨＰシートなどの樹脂フィルム、金属シート、各種基板、布、木など様々な媒体がある。
【００６２】
転写部２０に送られた記録媒体１８は、背面ローラ２０Ａと転写ローラ２０Ｂによって所定の温度及び所定のニップ圧で加熱加圧され、中間転写ベルト１２上の１次画像が記録媒体１８上に転写される。転写部２０を通過した記録媒体１８（印刷物）は、剥離爪等の剥離機構（不図示）によって中間転写ベルト１２から分離され、定着ローラ対２２を含む定着処理部で定着処理が施された後に機外へと排出される。図１には示さないが、印刷物の排出部には、プリントオーダー別に印刷物を集積するソーターが設けられる。
【００６３】
温度及び加圧力の調整可能な定着ローラ対２２を用いた定着処理工程では、記録媒体１８に加熱及び加圧処理を施して記録媒体１８に画像を定着させる。このような定着工程を付加することにより、インクに含有されるポリマー微粒子を造膜させる（画像の最表面にポリマー微粒子が溶解した薄膜が形成される）ことで、耐擦性や保管性が一段と向上する。定着工程における加熱温度（定着処理温度）は１００〜１３０℃、加圧力（定着圧力）は２．５〜３．０ＭＰａが好ましく、添加したポリマー樹脂の温度特性（成膜温度：ＴＭＦＴ）などに応じて最適化される。もちろん、転写部２０における転写工程において、転写性と造膜化が両立することができれば、定着工程を省略する態様も可能である。
【００６４】
転写部２０による転写工程後、中間転写ベルト１２はクリーナー２４によってクリーニングされる構成が好ましい。
【００６５】
クリーナー２４は、蒸留水や精製水などの水や溶媒除去ローラ等で回収した溶媒、またはこれら液体に界面活性剤などを添加した洗浄液を用いて中間転写ベルト１２の洗浄を行う手段であり、洗浄液を噴射する不図示の洗浄液噴射部と、中間転写ベルト１２の画像形成面１２Ａに当接して画像形成面１２Ａを摺動払拭するクリーニングブレード２４Ａとを含んで構成される。なお、クリーニングブレード２４Ａが摺接する中間転写ベルト１２の背面１２Ｂにはプラテンが配設される態様が好ましい。
【００６６】
クリーニングブレード２４Ａは、中間転写ベルト１２の幅と同等、或いは、それよりも僅かに長めに形成され、中間転写ベルト１２の全幅を一度に掻き取ることができる。洗浄液噴射部（不図示）から中間転写ベルト１２の表面に向けて洗浄液を噴射しながらクリーニングブレード２４Ａで掻き取ることにより、中間転写ベルト１２をクリーニングする。なお、洗浄液の飛散防止とクリーニングブレード２４Ａによる掻き取り液の回収等のために、クリーナー２４は容器２４Ｂで覆われている。このクリーナー２４は、主に、記録媒体１８への画像転写終了後の中間転写ベルト１２をクリーニングする手段として機能する。
【００６７】
クリーナー２４の処理領域を通過した中間転写ベルト１２（画像形成領域）は印字部１４の直下に位置するときに画像形成領域が親液性を示す温度以下となるように、冷却部２６によって冷却される。
【００６８】
冷却部２６の構成の詳細については後述するが、図１には、中間転写ベルト１２の背面１２Ｂに接触するヒートシンク２６Ａを備える態様を例示する。また、図１に示すヒートシンク２６Ａは、印字部１４よりも中間転写ベルト搬送方向の上流側（ローラ２８Ｂの直後）から印字部１４の直下にわたる領域をカバーするように配設されている。
【００６９】
次に、インクジェット記録装置１０の要部の構成について更に詳説する。
【００７０】
＜印字部の構成＞
図１に示したように、印字部１４は中間転写ベルト搬送方向Ａに沿って上流側から、黒（Ｋ）、シアン（Ｃ）、マゼンダ（Ｍ）、イエロー（Ｙ）、ライトシアン（ＬＣ）、ライトマゼンダ（ＬＭ）の順に、各色に対応したヘッド１４Ｋ，１４Ｃ，１４Ｍ，１４Ｙ，１４ＬＣ，１４ＬＭが並んで設けられている。
【００７１】
また、インク貯蔵／装填部３０は各ヘッド１４Ｋ，１４Ｃ，１４Ｍ，１４Ｙ，１４ＬＣ，１４ＬＭにそれぞれ供給するインク液を各々貯蔵するインクタンクを含んで構成され、各インクタンクは所要の流路を介してそれぞれ対応するヘッドと連通されており、各ヘッドに対してそれぞれ対応するインク液を供給する。インク貯蔵／装填部３０は、タンク内の液体残量が少なくなるとその旨を報知する報知手段（表示手段、警告音発生手段）を備えるとともに、液体間の誤装填を防止するための機構を有している。
【００７２】
インク貯蔵／装填部３０の各インクタンクから各ヘッド１４Ｋ，１４Ｃ，１４Ｍ，１４Ｙ，１４ＬＣ，１４ＬＭにインクが供給され、各ヘッド１４Ｋ，１４Ｃ，１４Ｍ，１４Ｙ，１４ＬＣ，１４ＬＭから中間転写ベルト１２の画像形成面１２Ａに対してそれぞれ対応する色インクが打滴される。
【００７３】
図２は、印字部１４の平面図である。同図に示すように、各ヘッド１４Ｋ，１４Ｃ，１４Ｍ，１４Ｙ，１４ＬＣ，１４ＬＭは、それぞれ中間転写ベルト１２における画像形成領域の最大幅に対応する長さを有し、そのインク吐出面には画像形成領域の全幅にわたってインク吐出用のノズル（図２中不図示、図３等に符号５１で図示）が複数配列されたノズル列を有するフルライン型のヘッドとなっている。各ヘッド１４Ｋ，１４Ｃ，１４Ｍ，１４Ｙ，１４ＬＣ，１４ＬＭは、中間転写ベルト搬送方向と直交する方向に延在するように固定設置される。
【００７４】
中間転写ベルト１２の幅の全域をカバーするノズル列を有するフルライン型のヘッドをインク色別に設ける構成によれば、中間転写ベルト１２の搬送方向Ａについて、中間転写ベルト１２と印字部１４を相対的に移動させる動作を１回行うだけで（即ち１回の副走査で）、中間転写ベルト１２の画像形成領域に画像（１次画像）を形成することができる。これにより、中間転写体搬送方向と直交する方向（主走査方向；図３に図示）に往復動作するシリアル（シャトル）型ヘッドが適用される場合に比べて高速印字が可能であり、プリント生産性を向上させることができる。
【００７５】
本例では、ＫＣＭＹの標準色（４色）に淡色インクＬＣ、ＬＭを追加した６色の構成を例示したが、インク色や色数の組み合わせについては本実施形態に限定されず、必要に応じて濃インクや特別色インクを追加してもよいし、図２に示す構成例から淡インクを除いてＫＣＭＹの標準色を適用してもよい。また、各色ヘッドの配置順序も特に限定はない。
【００７６】
＜ヘッドの構造＞
次に、各ヘッドの構造について説明する。色別のヘッド１４Ｋ，１４Ｃ，１４Ｍ，１４Ｙ，１４ＬＣ，１４ＬＭの構造は共通しているので、以下、これらを代表して符号５０によってヘッドを示すものとする。
【００７７】
図３(a)はヘッド５０の構造例を示す平面透視図であり、図３(b)はその一部の拡大図である。記録媒体１８上に印字されるドットピッチを高密度化するためには、ヘッド５０におけるノズルピッチを高密度化する必要がある。本例のヘッド５０は、図３(a),(b)に示したように、インク吐出口であるノズル５１と、各ノズル５１に対応する圧力室５２等からなる複数のインク室ユニット（記録素子単位としての液滴吐出素子）５３を千鳥でマトリクス状に（２次元的に）配置させた構造を有し、これにより、ヘッド長手方向（中間転写ベルト搬送方向と直交する方向；主走査方向）に沿って並ぶように投影される実質的なノズル間隔（投影ノズルピッチ）の高密度化を達成している。
【００７８】
中間転写ベルト搬送方向（副走査方向）と略直交する主走査方向に中間転写ベルト１２の画像形成領域の全幅に対応する長さにわたり１列以上のノズル列を構成する形態は図示の例に限定されない。例えば、図３(a)の構成に代えて、図３(c)に示すように、複数のノズル５１が２次元に配列された短尺のヘッドモジュール５０’を千鳥状に配列して繋ぎ合わせることで長尺化することにより、全体として中間転写ベルト１２の画像形成領域の全幅に対応する長さのノズル列を有するラインヘッドを構成してもよい。
【００７９】
各ノズル５１に対応して設けられている圧力室５２は、その平面形状が概略正方形となっており（図３(a),(b)参照）、対角線上の両隅部の一方にノズル５１への流出口が設けられ、他方に供給インクの流入口（供給口）５４が設けられている。なお、圧力室５２の形状は、本例に限定されず、平面形状が四角形（菱形、長方形など）、五角形、六角形その他の多角形、円形、楕円形など、多様な形態があり得る。
【００８０】
図４は、ヘッド５０における記録素子単位となる１チャンネル分の液滴吐出素子（１つのノズル５１に対応したインク室ユニット５３）の立体的構成を示す断面図（図３(a),(b)中の４−４線に沿う断面図）である。
【００８１】
図４に示すように、各圧力室５２は供給口５４を介して共通流路５５と連通されている。共通流路５５はインク供給源たるインクタンク（不図示）と連通しており、インクタンクから供給されるインクは共通流路５５を介して各圧力室５２に供給される。
【００８２】
圧力室５２の一部の面（図４において天面）を構成している加圧板（共通電極と兼用される振動板）５６には個別電極５７を備えた圧電素子５８が接合されている。個別電極５７と共通電極間に駆動電圧を印加することによって圧電素子５８が変形して圧力室５２の容積が変化し、これに伴う圧力変化によりノズル５１からインクが吐出される。なお、圧電素子５８には、チタン酸ジルコン酸鉛やチタン酸バリウムなどの圧電体を含む構造が好適に用いられる。インク吐出後、圧電素子５８の変位が元に戻る際に、共通流路５５から供給口５４を通って新しいインクが圧力室５２に再充填される。
【００８３】
入力画像からデジタルハーフトーニング処理によって生成されるドットデータに応じて各ノズル５１に対応した圧電素子５８の駆動を制御することにより、ノズル５１からインク滴を吐出させることができる。中間転写ベルト１２を一定の速度で副走査方向（図３(a)参照）に搬送しながら、その搬送速度に合わせて各ノズル５１のインク吐出タイミングを制御することによって、中間転写ベルト１２上に所望の画像（ここでは、転写前の１次画像）を記録することができる。
【００８４】
上述した構造を有するインク室ユニット５３を図５に示す如く主走査方向に沿う行方向及び主走査方向に対して直交しない一定の角度θを有する斜めの列方向に沿って一定の配列パターンで格子状に多数配列させることにより、本例の高密度ノズルヘッドが実現されている。
【００８５】
即ち、主走査方向に対してある角度θの方向に沿ってインク室ユニット５３を一定のピッチｄで複数配列する構造により、主走査方向に並ぶように投影（正射影）されたノズルのピッチＰはｄ×cosθとなり、主走査方向については、各ノズル５１が一定のピッチＰで直線状に配列されたものと等価的に取り扱うことができる。このような構成により、主走査方向に並ぶように投影される実質的なノズル列の高密度化を実現することが可能になる。
【００８６】
なお、印字可能幅の全幅に対応した長さのノズル列を有するフルラインヘッドで、ノズルを駆動する時には、（１）全ノズルを同時に駆動する、（２）ノズルを片方から他方に向かって順次駆動する、（３）ノズルをブロックに分割して、ブロックごとに片方から他方に向かって順次駆動する等が行われ、中間転写ベルト１２の幅方向（中間転写ベルト１２の搬送方向と直交する方向）に１ライン（１列のドットによるラインまたは複数列のドットから成るライン）を印字するようなノズルの駆動を主走査と定義する。
【００８７】
特に、図５に示すようなマトリクス状に配置されたノズル５１を駆動する場合は、上記（３）のような主走査が好ましい。即ち、ノズル５１-11 、５１-12 、５１-13 、５１-14 、５１-15 、５１-16 を１つのブロックとし（他にはノズル５１-21 、…、５１-26を１つのブロック、ノズル５１-31 、…、５１-36を１つのブロック、…として）、中間転写ベルト１２の搬送速度に応じてノズル５１-11 、５１-12 、…、５１-16を順次駆動することで中間転写ベルト１２の幅方向に１ラインを印字する。
【００８８】
一方、上述したフルラインヘッドと中間転写ベルト１２とを相対移動することによって、上述した主走査で形成された１ライン（１列のドットによるラインまたは複数列のドットから成るライン）の印字を繰り返し行うことを副走査と定義する。
【００８９】
そして、上述の主走査によって記録される１ライン（或いは帯状領域の長手方向）の示す方向を主走査方向といい、上述の副走査を行う方向を副走査方向という。即ち、本実施形態では、中間転写ベルト１２の搬送方向が副走査方向であり、それに直交する中間転写ベルト１２の幅方向が主走査方向ということになる。なお、本発明の実施に際してノズルの配置構造は図示の例に限定されない。
【００９０】
また、本実施形態では、ピエゾ素子（圧電素子）に代表される圧電素子５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００９１】
＜供給系の説明＞
図６は、インクジェット記録装置１０におけるインク供給系の構成を示した概要図である。
【００９２】
インク供給タンク６０はヘッド５０にインクを供給する基タンクであり、図１で説明したインク貯蔵／装填部３０に含まれる。インク供給タンク６０の形態には、インク残量が少なくなった場合に不図示の補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。
【００９３】
図６に示すように、インク供給タンク６０とヘッド５０の中間には、異物や気泡を除去するためにフィルタ６２が設けられている。フィルタ・メッシュサイズは、ノズル径と同等若しくはノズル径以下（一般的には、２０μｍ程度）とすることが好ましい。
【００９４】
なお、図６には示さないが、ヘッド５０の近傍またはヘッド５０と一体にサブタンクを設ける構成も好ましい。サブタンクは、ヘッドの内圧変動を防止するダンパー効果及びリフィルを改善する機能を有する。
【００９５】
また、インクジェット記録装置１０には、ノズル５１の乾燥防止またはノズル近傍のインク粘度上昇を防止するための手段としてのキャップ６４と、ヘッド５０のインク吐出面の清掃手段としてクリーニングブレード６６が設けられている。
【００９６】
これらキャップ６４及びクリーニングブレード６６を含むメンテナンスユニットは、不図示の移動機構によってヘッド５０に対して相対移動可能であり、必要に応じて所定の退避位置からヘッド５０下方のメンテナンス位置に移動される。
【００９７】
キャップ６４は、図示せぬ昇降機構によってヘッド５０に対して相対的に昇降変位される。電源ＯＦＦ時や印刷待機時にキャップ６４を所定の上昇位置まで上昇させ、ヘッド５０に密着させることにより、ノズル面をキャップ６４で覆う。
【００９８】
印字中または待機中において、特定のノズル５１の使用頻度が低くなり、ある時間以上インクが吐出されない状態が続くと、ノズル近傍のインク溶媒が蒸発してインク粘度が高くなってしまう。このような状態になると、圧電素子５８が動作してもノズル５１からインクを吐出できなくなってしまう。
【００９９】
このような状態になる前に（圧電素子５８の動作により吐出が可能な粘度の範囲内で）圧電素子５８を動作させ、その劣化インク（粘度が上昇したノズル近傍のインク）を排出すべくキャップ６４（インク受け）に向かって予備吐出（パージ、空吐出、つば吐き、ダミー吐出）が行われる。
【０１００】
なお、中間転写ベルト１２に向けてインクを打滴して予備吐出を行う態様も可能である。例えば、複数の画像を連続的に形成する場合には、画像間で予備吐出を実行することが可能である。特に、同一画像を複数枚形成する場合には、特定のノズルにおいてインク（処理液）吐出の頻度が低くなり、吐出異常の発生する可能性が高くなり、当該特定のノズルについて画像間で予備吐出を行うことが好ましい。
【０１０１】
中間転写ベルト１２に予備吐出を行う場合には、溶媒除去ローラ１６Ａや転写ローラ２０Ｂに予備吐出によるインクが付着しないように、溶媒除去ローラ１６Ａ及び転写ローラ２０Ｂを移動させて、溶媒除去ローラ１６Ａ及び転写ローラ２０Ｂと中間転写ベルト１２との間に所定のクリアランス（例えば、１０ｍｍ程度）を設けるとよい。
【０１０２】
また、ヘッド５０内のインク（圧力室５２内）に気泡が混入した場合、圧電素子５８が動作してもノズルからインクを吐出させることができなくなる。このような場合にはヘッド５０にキャップ６４を当て、吸引ポンプ６７で圧力室５２内のインク（気泡が混入したインク）を吸引により除去し、吸引除去したインクを回収タンク６８へ送液する。
【０１０３】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【０１０４】
クリーニングブレード６６はゴムなどの弾性部材で構成されており、図示せぬブレード移動機構によりヘッド５０のインク吐出面に摺動可能である。インク吐出面にインク液滴または異物が付着した場合、クリーニングブレード６６をインク吐出面に摺動させることでインク吐出面を拭き取り、インク吐出面を清掃する。
【０１０５】
中間転写ベルト１２（図１参照）上に予備吐出を行う場合には、中間転写ベルト１２をインク受けとすることで、キャップ６４を印字部１４（図１参照）の直下に移動させる時間や、中間転写ベルト１２を印字部１４の直下から退避させる時間を省略できるので、予備吐出にかかる時間を短縮することができる。また、予備吐出によって中間転写ベルト１２に付着したインクはクリーナー２４を用いて清掃される。
【０１０６】
＜制御系の説明＞
図７は、インクジェット記録装置１０のシステム構成を示す要部ブロック図である。インクジェット記録装置１０は、通信インターフェース７０、システムコントローラ７２、メモリ７４、冷却制御部７５、モータドライバ７６、ヒータドライバ７８、転写制御部７９、プリント制御部８０、画像バッファメモリ８２、ヘッドドライバ８４等を備えている。
【０１０７】
通信インターフェース７０は、ホストコンピュータ８６から送られてくる画像データを受信するインターフェース部である。通信インターフェース７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。ホストコンピュータ８６から送出された画像データは通信インターフェース７０を介してインクジェット記録装置１０に取り込まれ、一旦メモリ７４に記憶される。
【０１０８】
メモリ７４は、通信インターフェース７０を介して入力された画像を一旦格納する記憶手段であり、システムコントローラ７２を通じてデータの読み書きが行われる。メモリ７４は、半導体素子からなるメモリに限らず、ハードディスクなど磁気媒体を用いてもよい。
【０１０９】
システムコントローラ７２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能する。即ち、システムコントローラ７２は、通信インターフェース７０、メモリ７４、冷却制御部７５、モータドライバ７６、ヒータドライバ７８、転写制御部７９等の各部を制御し、ホストコンピュータ８６との間の通信制御、メモリ７４の読み書き制御等を行うとともに、搬送系のモータ８８やヒータ８９を制御する制御信号を生成する。
【０１１０】
メモリ７４には、システムコントローラ７２のＣＰＵが実行するプログラム及び制御に必要な各種データなどが格納されている。なお、メモリ７４は、書換不能な記憶手段であってもよいし、ＥＥＰＲＯＭのような書換可能な記憶手段であってもよい。メモリ７４は、画像データの一時記憶領域として利用されるとともに、プログラムの展開領域及びＣＰＵの演算作業領域としても利用される。
【０１１１】
冷却制御部７５は、図１に示す冷却部２６を制御する制御ブロックである。冷却制御部７５は、不図示の温度センサの検出信号に基づいて中間転写ベルト１２の画像形成領域の温度を判断し、画像形成領域が所定の温度以下になるように冷却部２６を制御する。図１に示すヒートシンク２６Ａを中間転写ベルト１２の背面１２Ｂに接触させて中間転写ベルト１２を冷却する態様では、温度センサの検出温度を監視して、検出温度が目標温度に達するとヒートシンク２６Ａを中間転写ベルト１２から離間させるようにヒートシンク２６Ａの位置が制御される。なお、検出温度と目標温度との差に基づいてヒートシンク２６Ａと中間転写ベルト１２との接触時間を設定し、当該接触時間によってヒートシンク２６Ａの位置を制御してもよい。
【０１１２】
モータドライバ７６は、システムコントローラ７２からの指示にしたがってモータ８８を駆動するドライバである。図７には、装置内の各部に配置されるモータを代表して符号８８で図示されている。例えば、図７に示すモータ８８には、図１の張架ローラ２８Ａ、２８Ｂのうち駆動ローラを駆動するモータや、記録媒体１８を搬送する搬送機構の駆動モータ、排出機構のモータなどが含まれている。
【０１１３】
ヒータドライバ７８は、システムコントローラ７２からの指示にしたがって、ヒータ８９を駆動するドライバである。図７には、インクジェット記録装置１０に備えられる複数のヒータを代表して符号８９で図示されている。例えば、図７に示すヒータ８９には、図１の定着ローラ対２２に内蔵されるヒータなどが含まれている。
【０１１４】
転写制御部７９は、図１に示す転写部２０の転写ローラ２０Ｂの押圧制御を行うとともに、背面ローラ２０Ａ及び転写ローラ２０Ｂに内蔵されたヒータの温度制御を行う。記録媒体１８の種類やインクの種類ごとに、転写ローラ２０Ｂの押圧最適値、背面ローラ２０Ａ及び転写ローラ２０Ｂに内蔵されたヒータの温度最適値が予め求められ、データテーブル化されて所定のメモリ（例えば、メモリ７４）に記憶されている。
【０１１５】
記録媒体１８の情報や使用インクの情報を取得すると、当該メモリを参照して転写ローラ２０Ｂの押圧及び背面ローラ２０Ａ及び転写ローラ２０Ｂに内蔵されたヒータの温度が制御される。なお、転写ローラ２０Ｂの押圧を可変させるときに転写ローラ２０Ｂを移動させる移動機構のモータは、図７にモータ８８に含まれる。
【０１１６】
システムコントローラ７２は、装置各部に備えられたセンサから送られる検出信号を受け取り、当該検出信号に基づいて装置各部に対して制御信号を送出する。即ち、システムコントローラ７２は、各センサの検出信号に基づいて各部を制御する制御手段として機能する。
【０１１７】
プリント制御部８０は、システムコントローラ７２の制御に従い、メモリ７４内の画像データから印字制御用の信号を生成するための各種加工、補正などの処理を行う信号処理機能を有し、生成した印字データ（ドットデータ）をヘッドドライバ８４に供給する制御部である。プリント制御部８０において所要の信号処理が施され、該画像データに基づいて、ヘッドドライバ８４を介してヘッド５０のインク液滴の吐出量や吐出タイミングの制御が行われる。これにより、所望のドットサイズやドット配置が実現される。
【０１１８】
プリント制御部８０には画像バッファメモリ８２が備えられており、プリント制御部８０における画像データ処理時に画像データやパラメータなどのデータが画像バッファメモリ８２に一時的に格納される。また、プリント制御部８０とシステムコントローラ７２とを統合して１つのプロセッサで構成する態様も可能である。
【０１１９】
ヘッドドライバ８４は、プリント制御部８０から与えられる画像データに基づいてヘッド５０の圧電素子５８に印加される駆動信号を生成するとともに、該駆動信号を圧電素子５８に印加して圧電素子５８を駆動する駆動回路を含んで構成される。なお、図７に示すヘッドドライバ８４には、ヘッド５０の駆動条件を一定に保つためのフィードバック制御系を含んでいてもよい。
【０１２０】
印刷すべき画像のデータは、通信インターフェース７０を介して外部から入力され、メモリ７４に蓄えられる。この段階では、ＲＧＢの画像データがメモリ７４に記憶される。
【０１２１】
メモリ７４に蓄えられた画像データは、システムコントローラ７２を介してプリント制御部８０に送られ、該プリント制御部８０においてインク色ごとのドットデータに変換される。即ち、プリント制御部８０は、入力されたＲＧＢ画像データをＹＣＭＫ及びＬＣ，ＬＭの６色のドットデータに変換する処理を行う。プリント制御部８０で生成されたドットデータは、画像バッファメモリ８２に蓄えられる。
【０１２２】
なお、中間転写ベルト１２上に形成される１次画像は、転写の際に反転することを考慮して、最終的に記録媒体１８に形成される２次画像（記録画像）の鏡面画像としなければならない。即ち、ヘッド５０に供給される駆動信号は鏡面画像に対応した駆動信号であり、プリント制御部８０にて入力画像に対して反転処理を施す必要がある。
【０１２３】
図７に示すプログラム格納部９０には各種制御プログラムが格納されており、システムコントローラ７２の指令に応じて、制御プログラムが読み出され、実行される。プログラム格納部９０はＲＯＭやＥＥＰＲＯＭなどの半導体メモリを用いてもよいし、磁気ディスクなどを用いてもよい。外部インターフェースを備え、メモリカードやＰＣカードを用いてもよい。もちろん、これらの記録媒体のうち、複数の記録媒体を備えてもよい。なお、プログラム格納部９０は動作パラメータ等の記録手段（不図示）と兼用してもよい。
【０１２４】
＜中間転写ベルトの説明＞
次に、本例に適用される中間転写ベルト１２の詳細構成について説明する。図８は、中間転写ベルト１２の幅方向の断面線に沿う断面図である。本例適用される中間転写ベルト１２は、画像形成面１２Ａを含む表面層１００と、表面層を支持する基材層１０２を含んで構成されている。
【０１２５】
表面層１００の少なくともヘッド５０から打滴されたインクによって１次画像が形成される画像形成領域（不図示）は、温度によってインク濡れ性の異なる材料（感温性材料）でできており、図１に示す冷却部２６によって冷却され所定の温度以下となると親液性となり、背面ローラ２０Ａ及び転写ローラ２０Ｂの内蔵ヒータによって加熱され所定の温度（親液性となる「所定の温度」よりも高い温度でもよいし同一の温度でもよい）以上となると撥液性となる。
【０１２６】
基材層１０２は搬送による引張応力に耐えうる強度を確保し、かつ、描画と転写に適した表面性を得るために少なくとも表面層１００と基材層１０２の２層を含む構造とした。
【０１２７】
基材層１０２の材質としては、ポリオレフィン、ポリ塩化ビニル、ポリエチレンテレフタレート、ポリスチレン、ポリメタクリレート、ポリカーボネート、ポリイミド、トリアセチルセルロース等を用いることができる。
【０１２８】
表面層１００の材質としては、温度によって表面濡れ性が変わる材質が用いられ、描画時（１次画像形成時）と転写時において温度をスイッチングすることで、描画性（画像形成性）と転写性との両立を実現することができる。更に、転写時の紙の表面粗さに、より追従させて良好な転写性を得るためには、表面層１００には弾性材料を適用することが好ましく、ＳＩＦＥＬ（液状フッ素エラストマー、信越化学製）、シリコーンゴム、フッ素ゴム、ＮＢＲ（ニトリルゴム）、ネオプレンゴム等を好適に用いることができる。一方、金属材質は温度によって濡れ性が異なる性質を有していないので、表面層１００の材料としては不適切である。先に挙げた材料の中で、特に温度によって水の濡れ性が変わるものはＳＩＦＥＬとＮＢＲである。
【０１２９】
図９にＳＩＦＥＬ、シリコーンゴム、ＮＢＲの特性を示す。図９に示すように、ＳＩＦＥＬ及びＮＢＲは、３０℃における水の接触角α１と９０℃における水の接触角α２が１０°以上変化している（α２−α１≧１０°）。即ち、ＳＩＦＥＬ及びＮＢＲは３０℃における水への濡れ性と、９０℃における水への濡れ性が変化していることがわかる。これは、特に水系インクの場合にＳＩＦＥＬとＮＢＲではインクの濡れ性が温度で連続的に変化し、画像形成性と転写性を両立しやすことを示している。
【０１３０】
なお、「接触角の差が１０°以上」という臨界的な意義については、記録媒体１８の接触角と中間転写ベルト１２の接触角の関係から説明することができる。
【０１３１】
即ち、本発明の対象となる各種記録媒体（アート紙、マットコート紙、上質紙、普通紙などの記録媒体１８）の水に対する接触角（以下、水接触角と記載する。）は、８０°〜１１０°であり、好ましい転写性を得るためには中間転写ベルト１２は撥水性材料を選定する必要がある。
【０１３２】
一般的に「撥水性材料」とは「水接触角が９０°以上の材料」を含んでおり、更に、水接触角が１００°程度であることが好ましい。中間転写ベルト１２よりあらゆる種類の記録媒体１８に対してインクが濡れるように設定して高い転写率を得るためには、転写時における中間転写ベルト１２の水接触角を記録媒体１８の水接触角である１１０°以上に変化させる設定にすることが必要となる。
【０１３３】
したがって、好ましい描画性と好ましい転写性を両立する条件は、中間転写ベルト１２の画像形成時の水接触角と転写時の水接触角の差を好ましくは１０°以上に設定することである。詳細は後述するが（図１６参照）、ＳＩＦＥＬとＮＢＲを用いる場合には、好ましい描画性と好ましい転写性を両立することができ、図１６に図示した評価結果は、「接触角の差が１０°以上」という臨界的な意義を裏付けている。
【０１３４】
一方、水系インクに限らず溶剤系インクを含むあらゆる材料に対しての濡れ性は表面自由エネルギーとして表現できる。即ち、３０℃における表面自由エネルギーγ１と９０℃における表面自由エネルギーγ２の変化が相対的に大きいほど濡れ性が変化するといえる。表面自由エネルギーの観点を考慮するとＳＩＦＥＬが特に有効な特性を示している。
【０１３５】
図９に示すように、ＳＩＦＥＬは３０℃における表面自由エネルギーと９０℃における表面自由エネルギーの変化（γ１−γ２）は５．５（ｍＮ／ｍ）である。一方、ＮＢＲは３０℃における表面自由エネルギーγ１と９０℃における表面自由エネルギーγ２の変化は０．２（ｍＮ／ｍ）であり、ＳＩＦＥＬは３０℃における表面自由エネルギーγ１と９０℃における表面自由エネルギーγ２の変化が大きいので、温度に応じて濡れ性が大きく変化し、水系インクに限らず溶剤系インクを含むあらゆる材料に対して好適な濡れ性を実現できるといえる。即ち、あらゆるインクを用いる場合にもＳＩＦＥＬではインク濡れ性が温度で変化し，画像形成性と転写性を両立しやすいことを示している。
【０１３６】
「表面自由エネルギーの差が５（ｍＮ／ｍ）以上」という臨界的な意義については、画像（インク固形分）の表面自由エネルギー、記録媒体１８の表面自由エネルギー、中間転写ベルト１２の表面自由エネルギーの関係から説明することができる。
【０１３７】
記録性向上液の表面張力は低くても１５（ｍＮ／ｍ）であり、好ましくは２０（ｍＮ／ｍ）という制限がある。記録性向上液が付与できる条件として、画像形成時の中間転写ベルト１２の表面自由エネルギーは約２０（ｍＮ／ｍ）と設定できる。一方、画像の表面自由エネルギーは５０〜５５（ｍＮ／ｍ）、各種紙（アート紙、マットコート紙、上質紙、普通紙などの記録媒体１８）の表面自由エネルギーは３０〜４０（ｍＮ／ｍで）ある。
【０１３８】
即ち、画像の表面自由エネルギーと、記録媒体１８の表面自由エネルギー差は１０〜２５（ｍＮ／ｍ）となる。転写時においては、画像と記録媒体１８の付着エネルギーを画像と中間転写ベルト１２の付着エネルギーよりも低く設定することで、良好な転写が得られる。したがって、転写時の中間転写ベルト１２の表面自由エネルギーを５〜１５（ｍＮ／ｍ）に設定する必要がある。
【０１３９】
以上から、中間転写ベルト１２の画像形成時の表面自由エネルギーと転写時の表面自由エネルギーの差は５（ｍＮ／ｍ）以上であることが好ましい条件といえる。また、描画性と転写性を測定した図１６の評価結果は「表面自由エネルギーの差が５（ｍＮ／ｍ）以上」という臨界的な意義を裏付けている。
【０１４０】
なお、図９に示す表面自由エネルギーγｓｖｈは、Ｏｗｅｎｓ−Ｗｅｎｄｔの方法にて導出した。具体的には、プローブ液に純水（Ｈ２Ｏ：Ｌ１）とジヨードメタン（ＣＨ２Ｉ２：Ｌ２）を用意し、２つのプローブ液Ｌ１、Ｌ２に対する接触角αＬ１、αＬ２を接触角計（協和界面科学社製、Ｄｒｏｐｍａｓｔｅｒ−５００）により測定し、表面自由エネルギーの分散力成分γｓｄ、極性成分（水素結合成分）γｓｈを、次式（１）〜（１０）により導出した。
【０１４１】
【数１】
2009214439.tif 000003
【０１４２】
【数２】
2009214439.tif 000004
【０１４３】
【数３】
2009214439.tif 000005
【０１４４】
【数４】
2009214439.tif 000006
【０１４５】
【数５】
2009214439.tif 000007
【０１４６】
【数６】
2009214439.tif 000008
【０１４７】
【数７】
2009214439.tif 000009
【０１４８】
【数８】
2009214439.tif 000010
【０１４９】
【数９】
2009214439.tif 000011
【０１５０】
【数１０】
2009214439.tif 000012
【０１５１】
表面自由エネルギーの分散力成分γｓｄは、次式（１１）で表され、極性成分（水素結合成分）γｓｈは、次式（１２）で表される。
【０１５２】
【数１１】
2009214439.tif 000013
【０１５３】
【数１２】
2009214439.tif 000014
【０１５４】
図１０に示すように、プローブ液Ｌ１、Ｌ２の各物性値は以下のとおりである。
【０１５５】
γＬ１ｄ＝２１．８（ｍＪ／ｍ２）
γＬ１ｈ＝５１．０（ｍＪ／ｍ２）
γＬ１ｔｏｔａｌ（＝γＬ１ｄ＋γＬ１ｈ）＝７２．８（ｍＪ／ｍ２）
γＬ２ｄ＝４９．５（ｍＪ／ｍ２）
γＬ２ｈ＝１．３（ｍＪ／ｍ２）
γＬ２ｔｏｔａｌ（＝γＬ２ｄ＋γＬ２ｈ）＝２０．８（ｍＪ／ｍ２）
したがって、中間転写ベルト１２の表面自由エネルギーγｓｖｈ（γｔｏｔａｌ）は、次式（１３）のように求められる。
【０１５６】
γｓｖｈ（γｔｏｔａｌ）＝γｓｄ＋γｓｈ      …（１３）
しかし、何れの材料を中間転写ベルト１２の表面層１００に適用した場合においても、画像形成領域のみを冷却しても温度変化が追いつかず（所定のタイミングにおいて所望の温度に達することなく）、良好な描画条件が得られないことが本願出願人の実験により明らかになった。例えば、図１に示すヒートシンク（単体の熱抵抗：０．１〜０．５℃／Ｗ）を印字部１４の直下の領域のみに設けた場合には、中間転写ベルト１２を最高速（６００ｍｍ／ｓ）で搬送すると、転写部２０によって９０℃に加熱され中間転写ベルト１２を印字部１４の直下で３０℃にすることが困難であった。したがって、中間転写ベルト１２を最高速で搬送した場合にも描画時に中間転写ベルト１２の所定の濡れ性を確保するためには、描画に先立って中間転写ベルト１２を冷却する必要があることが判明した。
【０１５７】
言い換えると、ヒートシンク２６Ａの熱抵抗と搬送条件に基づいて、中間転写ベルト１２の画像形成領域の温度が転写温度からその表面性が親液性に変化する温度に達するまでに要する冷却時間を求めて、中間転写ベルト１２を最高速で搬送した場合にも所定の冷却時間を確保できるように、中間転写ベルト１２の画像形成領域が中間転写ベルト搬送方向の印字部１４よりも前方に位置したタイミングで冷却を開始できるように冷却部２６を構成する必要がある。言い換えると、冷却部２６は印字部１４の中間転写ベルト搬送方向上流側の所定位置から印字部１４の中間転写ベルト搬送方向最下流側にわたって配設される態様が好ましい。
【０１５８】
また、先に述べたＳＩＦＥＬ、ＮＢＲより顕著に温度によって表面自由エネルギーが変わる材質は中間転写ベルト１２の表面層としてより好ましく、当該材質の一例として以下の感温性ポリマーが挙げられる。
【０１５９】
例えば、感温性ポリマーとして、Ｎ−イソプロピルアクリルアミド、ポリ−Ｎ−アルキルアクリルアミド、更には、Ｎ−ビニルイソ酪酸アミドなどのＮ−ビニルＣ３−９アシルアミドと、Ｎ−ビニルアセトアミドなどのＮ−ビニルＣ１−３アシルアミドとの共重合体の高分子が挙げられる。
【０１６０】
上述した感温性ポリマーの中で、Ｎ−イソプロピルアクリルアミドは３２℃を境界として、低温側（３２℃以下の温度）で親液、高温側（３２℃を超える温度）で撥液となる材質であり、印字部１４の直下の描画部３２で３２℃以下の低温（親液）、転写部２０で３２℃を超える高温（撥液）とすると、良好な描画性と転写性を両立できる。但し、温度によって表面濡れ性が変わる材質は表面濡れ性が変わるまでにある程度の時間を要するので、中間転写ベルト１２の冷却を開始してから所定の温度（Ｎ−イソプロピルアクリルアミドでは３２℃）になるまでにどの程度の時間を要するかを考慮しなければならない。
【０１６１】
先に挙げた感温性ポリマーは、表面構造が変化する時間として数秒程度の時間を要し、場合によっては数時間程度を要してしまうので、上述した感温性ポリマーを適用する場合には、描画に先立ち中間転写ベルト１２を冷却する冷却部２６の構成を適用して、描画に先立って中間転写ベルト１２を冷却する必要がある。したがって、描画時における中間転写ベルト１２の画像形成面１２Ａの十分な親液性を確保して、好ましい描画性能を得るためには、先に説明した冷却部２６の配置とともに、以下に説明するように冷却部２６を構成し、更に、中間転写ベルト１２の冷却制御を行うとよい。
【０１６２】
＜冷却部の説明＞
次に、図１に示す冷却部２６の構成について詳説する。本例の冷却部２６には、風冷式、気体冷却式、液冷却式、相変化冷却式が採用できる。
【０１６３】
風冷式では、中間転写ベルト１２の背面１２Ｂに接触するフィンを設ける自然風冷式でもよいし、更に好ましくは中間転写ベルト１２の背面１２Ｂから強制的に風を当てて対流で冷却する強制風冷式でもよい。
【０１６４】
気体冷却式は、装置内部に封入気体を備えるもので、冷却媒としては水素ガス、乾燥空気等が適用可能である。なお、気体冷却方式では、別途熱交換器を備える必要がある。内部気体を冷却する方法としては、熱交換器を外部空気の対流により冷却する自冷式、熱交換器をファンによる空気の流通により冷却する風冷式、水冷の熱交換器を使用する水冷式が採用できる。
【０１６５】
液冷却式では冷却液として、水、エチレングリコール等の絶縁油を用いることができる。また、油の温度変化による自然対流を利用する油入式やポンプで強制送液する送油式を採用可能である。
【０１６６】
相変化冷却式とは冷却器内部に封入された熱媒体の相変化で機器を冷却するものである。冷却方式としては、ヒートレーン方式とヒートパイプ方式、冷凍機で冷却した冷却媒体と熱交換することにより冷却するヒートポンプ式などの方式が採用できる。
【０１６７】
ヒートレーン方式は、授熱部で熱媒体が沸騰し、その気相の膨張により液相と気相が熱とともに放熱部へ移動し、放熱部で熱媒体が冷却されると気相が収縮し冷却された液相が授熱部へ戻り、自励振動により熱を移動する方式である。一方、ヒートパイプ方式では授熱部を下部とするとともに放熱部を上部とし、密閉容器中に熱媒体を封入した方式である。なお、途中は沸騰した気体を通る中心部と凝縮した液体を通す外周部の２重構造になっていることが好ましい。また、授熱部で沸騰した熱媒体が放熱部で凝縮して授熱部に戻るヒートレーン方式に比べて、熱媒体が多く必要になるが放熱部の面積を大きくとることができるという利点がある。
【０１６８】
ヒートポンプ式では冷媒としてはアンモニア、二酸化炭素、フロン類（ＣＦＣ冷媒(Ｒ１２)、ＨＣＦＣ(Ｒ２２)）などを用いることができる。コンプレッサーで冷媒を圧縮することで温度が上昇し、凝縮機側で放熱を行い、その後、膨張弁で急激に圧力低下をすると温度が低下する、蒸発機内で吸熱して圧縮機へと循環させる。
【０１６９】
なお、上述した何れの冷却方式においても，描画前の冷却側と転写部、または定着部の加熱側との間で熱の相互利用をすることがシステムのサイクルエネルギーを抑える観点から好ましい。例えば，ヒートポンプ方式において、凝縮機側の放熱を利用して転写部２０を加熱し、蒸発機内の吸熱で冷却部２６を冷却することができる。
【０１７０】
なお、冷却部２６には中間転写ベルト１２の画像形成面１２Ａの温度を測定する温度検出手段が備えられている態様が好ましく、より好ましくは冷却器側の温度を制御するフィードバック制御がなされる態様である。
【０１７１】
また、ペルチェ素子などの冷却素子を備えた冷却器を用いる態様も好ましい。冷却器から中間転写ベルト１２の背面１２Ｂにかけて冷媒を循環させる冷媒循環路を形成し、冷却素子側で冷媒は冷却され、中間転写ベルト１２側で冷媒は加熱されることで、中間転写ベルト１２の温度を下げることができる。
【０１７２】
＜冷却制御の説明＞
図１１には、本例に適用される中間転写ベルト１２の温度サイクルを模式的に図示する。同図において、横軸は時間（中間転写ベルト１２の搬送経路上の位置）であり、縦軸は中間転写ベルト１２の温度である。図１１において符号１１０で表される温度サイクルは本例に適した温度サイクルであり、符号１１２で表される温度サイクル（２点破線で図示）は本例には適していない温度サイクルである。なお、図１には、図１１に示す温度サイクル中の各温度Ｔａ〜Ｔｅに対応する位置が図示されている。
【０１７３】
図１１の温度Ｔａは、図１のヒートシンク２６Ａの中間転写ベルト搬送方向の最上流側位置（冷却開始位置）における中間転写ベルト１２の表面層１００の温度（以下、単に中間転写ベルト１２の温度と記載する。）である。
【０１７４】
図１１に示す好ましい温度サイクル１１０において、温度Ｔｂは図１の印字部１４の中間転写ベルト搬送方向の最上流側位置（印字開始位置）における中間転写ベルト１２の温度であり、中間転写ベルト１２の表面層１００にＳＩＦＥＬを適用する場合には、温度Ｔｂは３０℃以下である。即ち、中間転写ベルト１２が冷却開始位置から印字部１４の中間転写ベルト搬送方向の最上流側位置まで搬送される間に、中間転写ベルト１２は温度Ｔａから温度Ｔｂに冷却される。
【０１７５】
図１１の温度Ｔｃは図１の印字部１４の中間転写ベルト搬送方向の最下流側位置（印字終了位置）における中間転写ベルト１２の温度であり、少なくとも温度Ｔｂ及び温度Ｔｃが３０℃以下であれば、中間転写ベルト１２の表面層１００の親液性が維持され、好ましい画像形成性を維持することができる。言い換えると、図１に符号３２で示す範囲内において、中間転写ベルト１２の表面層１００が親液性となる温度以下に維持されればよい。
【０１７６】
また、図１１の温度Ｔｄは図１の溶媒除去部１６における中間転写ベルト１２の温度である。溶媒除去処理時に中間転写ベルト１２の表面層１００の親液性が維持されると、溶媒除去処理に起因する画像乱れを抑制できるので、溶媒除去部１６における中間転写ベルト１２の温度Ｔｄは中間転写ベルト１２の表面層１００が親液性となる温度以下であることが好ましい。即ち、図１に符号３４で示す範囲内が中間転写ベルト１２の表面層１００が親液性となる温度以下に維持される態様がより好ましい。
【０１７７】
なお、溶媒除去部１６における中間転写ベルト１２の温度Ｔｄは、印字終了後の搬送によるなりゆきで、中間転写ベルト１２の表面層１００が親液性となる温度以下であれば、印字終了時の中間転写ベルト１２の温度Ｔｃより高くてもよい。
【０１７８】
図１１の温度Ｔｅは図１の転写部２０における中間転写ベルト１２の温度である。転写部２０において中間転写ベルト１２の表面層１００が撥液性（離型性）となるように温度Ｔｅが制御される。なお、中間転写ベルト１２の表面層１００にＳＩＦＥＬを適用する場合には温度Ｔｅは９０℃以上である。なお、冷却開始位置の温度Ｔａは転写部２０を通過した後の搬送によるなりゆきで、転写部２０における温度Ｔｅよりも若干低い温度となる。
【０１７９】
一方、図１１に示す好ましくない温度サイクル１１２では、図１に符号３４で図示する範囲において、中間転写ベルト１２の表面層１００が親液性を示さない温度Ｔｂ’、Ｔｃ’、Ｔｄとなってしまうので、描画時における好ましい濡れ性を実現することができない。
【０１８０】
なお、描画部（図１において、印字部１４の先端位置から印字部１４の後端位置を含む領域；図１に符号３２で図示する範囲）の何れかの位置に中間転写ベルト１２の温度を計測する温度計測部（温度センサ；不図示）を設け、当該描画部３２における中間転写ベルト１２の温度を監視することが好ましい。
【０１８１】
中間転写ベルト１２の表面層１００に様々な感温性材料を適用することを考慮すると、当該描画部３２における中間転写ベルト１２の温度Ｔｂは、インクに含有する樹脂粒子のガラス転移点Ｔｇよりも低く（Ｔｂ≦Ｔｇ）、且つ、当該樹脂粒子の最低造膜温度ＴＭＦＴより低く（Ｔｂ≦ＴＭＦＴ）なるように制御されることがより好ましい。
【０１８２】
即ち、画像形成時における中間転写ベルト１２の上限温度はインクの吐出性に関連し、その下限温度は装置の負荷の制限に関連する。当該装置の負荷を抑えるためには当該下限温度は４０℃程度とするとよい。なお、インクに含有する樹脂粒子のガラス転移点Ｔｇや当該樹脂粒子の最低造膜温度ＴＭＦＴは、転写時にインクに含有する樹脂粒子同士が融着して一体的になることが好ましいので、当該樹脂粒子のガラス転移点Ｔｇや当該樹脂粒子の最低造膜温度ＴＭＦＴは転写温度よりもＴｅよりも低く設定する必要がある。
【０１８３】
また、描画に適切なしきい値温度をＴｓとすると、ヘッド５０の下部にあたる描画部３２の全域においても温度をしきい値温度Ｔｓ以下とすることが好ましい。この条件ではインクが安定的に吐出し、良好な画像を中間転写ベルト１２上で形成することができる（吐出安定性を考慮した良好な描画性が得られる）。
【０１８４】
具体的なしきい値温度Ｔｓの値としては、吐出安定性を実際に描画して確かめると６０℃であり、より好ましくは５０℃である。当該描画部３２における中間転写ベルト１２の温度Ｔｂが予め決められたしきい値温度Ｔｓよりも高い場合に冷却部２６を動作させるように冷却制御を行う態様が好ましい。
【０１８５】
即ち、好ましい描画性及び好ましい転写性を得るための条件として、Ｔｂ≦Ｔｇ≦Ｔｓ≦Ｔｅを満たすとともに、Ｔｂ≦ＴＭＦＴ≦Ｔｓ≦Ｔｅを満たすことが挙げられる。
【０１８６】
図１２には、当該温度制御のフローチャートを示す。同図に示すように、当該温度制御を開始すると（ステップＳ１０）、冷却部２６を動作させて中間転写ベルト１２の冷却を開始する（ステップＳ１２）。また、転写部２０の背面ローラ２０Ａに内蔵されるヒータを動作させて背面ローラ２０Ａによる加熱を開始するとともに（ステップＳ１４）、転写ローラ２０Ｂに内蔵されるヒータを動作させて転写ローラ２０Ｂによる加熱を開始する（ステップＳ１６）。更に、ステップＳ１８に進み、転写部２０の温度Ｔｅを検出し、転写部２０の検出温度Ｔｅが所定の温度範囲内（Ｔｅｍｉｎ＜Ｔｅ＜Ｔｅｍａｘ）であるか否かが判断される（ステップＳ２０）。
【０１８７】
下限温度Ｔｅｍｉｎは、転写性の観点から求められる値であり、上限温度Ｔｅｍａｘは、装置が熱膨張することなく適切に動作すること、かつ、記録媒体１８の水分蒸発による変形を抑えるという観点から求められる。当該温度範囲の具体例を挙げると、８０℃＜Ｔｅ＜１２０℃が好ましく、より好ましくは８０℃＜Ｔｅ＜１００℃である。
【０１８８】
ステップＳ２０において、転写部２０の検出温度Ｔｔが所定の温度範囲外と判断されると（ＮＯ判定）、図７に示すヒータドライバ７８を介して転写ローラ２０Ｂ（または背面ローラ２０Ａ）の内蔵ヒータの温度調整が行われる（ステップＳ２２）。一方、ステップＳ２０において、転写部２０の検出温度Ｔｅが所定の温度範囲内であると判断されると（ＹＥＳ判定）、描画部３２（図１参照）の温度Ｔｂが検出され（ステップＳ２４）、ステップＳ２６に進む。
【０１８９】
ステップＳ２６では、描画部３２の検出温度Ｔｂとしきい値温度Ｔｓが比較され、描画部３２の検出温度Ｔｂがしきい値温度Ｔｓ以上の場合には（ＮＯ判定）、冷却部２６を動作させて中間転写ベルト１２を冷却する（ステップＳ２８）。
【０１９０】
中間転写ベルト１２の背面１２Ｂから強制的に冷風をあてて対流で冷却する強制風冷方式の場合には、ステップＳ２６においてＮＯ判定になると冷却ファンの回転を開始し、当該冷却ファンの回転数を上げながら描画部３２の温度Ｔｂを監視する。また、液冷方式の場合には、ステップＳ２６においてＮＯ判定となるとポンプの送液動作を開始し、ポンプ出力（送液速度）を上げながら描画部３２の温度Ｔｂを監視する。
【０１９１】
一方、ステップＳ２６において、描画部３２の検出温度Ｔｂが図１１に示すしきい値温度Ｔｓ未満の場合には（ＹＥＳ判定）、再び転写部２０の温度Ｔｅが検出され（図１２のステップＳ３０）、ステップＳ３２に進む。
【０１９２】
ステップＳ３２では、転写部２０の検出温度Ｔｅが所定の温度範囲外と判断されると（ＮＯ判定）、ステップＳ２２に進み、転写ローラ２０Ｂ（または背面ローラ２０Ａ）のヒータの温度調整が行われる。一方、ステップＳ３２において、転写部２０の検出温度Ｔｅが所定の温度範囲内であると判断されると（ＹＥＳ判定）、当該温度制御は終了される（ステップＳ３４）。
【０１９３】
転写部２０の温度検出及び温度調整は１回でもよいが、転写部２０の温度の精度管理のために、転写部２０の温度検出及び温度調整を２回行う態様が好ましい。即ち、ステップＳ２８に示す冷却部２６の動作の影響を受けて転写部２０の温度の低下が見込まれるので、冷却部２６を動作させたのちに再度転写部２０の温度検出及び温度調整を行うように構成し、転写部２０の温度精度を確保している。
【０１９４】
なお、図１３に示すインクジェット記録装置１０’のように、描画部（図１の符号３２）の前段のみに冷却部２６’を備える態様も可能である。図１３に示すインクジェット記録装置１０’では、印字部１４の中間転写ベルト搬送方向上流側のみに冷却部２６’を備え、印字部１４の直下には冷却部を備えていない。このような構成でも中間転写ベルト１２の画像形成領域が印字部１４の直下に搬送される前に、中間転写ベルト１２の画像形成面１２Ａの温度が親液性を発揮する温度以下とすることができる。したがって、冷却部２６’の小型化が可能となり、印字部１４の直下の構成を簡素化することができる。
【０１９５】
一方、図示は省略するが、図１に示す冷却部２６を溶媒除去部１６の配設領域まで広げる態様も可能である。かかる態様によれば、中間転写ベルト１２の画像形成面１２Ａの親液性を確保した領域の全域で中間転写ベルト１２を冷却することができ、当該領域において確実に中間転写ベルト１２の画像形成面１２Ａの親液性を発揮することが可能となる。
【０１９６】
本例では、１次画像が形成される中間転写体の一例として、複数のローラに巻き掛けられた無端状のベルトを例示したが、本例のインクジェット記録装置１０にドラム型の中間転写体を適用することも可能である。但し、ドラム型の中間転写体を適用する態様では、ドラム曲率の影響でノズルとドラム表面との間の距離が同一ヘッド内のノズルの位置によって変わることがあるので、本例にはベルト型の中間転写体がより好ましい。
【０１９７】
＜インクの説明＞
次に、本例に適用されるインクについて説明する。インクの材質としては染料インク、顔料インクとも用いることができる。更には、産業用デジタルイメージング用インクも適用可能である。この場合は、金属微粒子分散インクや、機能性ポリマー粒子分散インク、等の適用が見込まれる。
【０１９８】
画像を紙に記録する（記録媒体１８に紙メディアを適用する）場合には、インクにはアクリル系ラテックスを含有させていることが好ましい。ラテックスを含有するインクは紙メディアへの定着性を向上させ、かつ、凝集体の凝集力を向上させて転写に掛かる応力によって画像ドットが分断される泣き別れの現象を抑えるために、インクには顔料に対して重量濃度で２倍以上のラテックス樹脂が含有されている構成が転写性と定着性を良好にするために好ましい。
【０１９９】
溶媒不溶性材料の濃度はインクジェット吐出に適切な粘度（２０（ｍＰａ・ｓ）以下）を考慮して、１重量％以上２０重量％以下であることが好ましく、画像の光学濃度を得るために顔料濃度を４重量％以上とするとより好ましい。
【０２００】
インクの表面張力は吐出安定性を考慮して、２０（ｍＮ／ｍ）以上４０（ｍＮ／ｍ）であることが好ましい。なお、画像の長期保存性から顔料インクは特に好ましく用いることができる。
【０２０１】
顔料インクを用いる場合には、顔料、ラテックス以外に１種類または複数種類のポリマー粒子が混合されてもよい。また、本実施の形態の水性顔料インク組成物に含まれる顔料は有機色顔料が好ましく用いられる。以下に、水性顔料インク組成物に用いられる有機顔料の具体例を示す。
【０２０２】
シアン色の顔料としては、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：２、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２等が挙げられる。
【０２０３】
マゼンタ色の顔料としては、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ
Ｒｅｄ−４８、Ｃ．Ｉ．Ｐｉｇｍｅｎｔ  Ｒｅｄ−４８：１、Ｃ．Ｉ．Ｐｉｇｍｅｎｔ
Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２、Ｃ．Ｉ．Ｐｉｇｍｅｎｔ  Ｒｅｄ−２０７等が挙げられる。
【０２０４】
イエローの顔料としては、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ１７、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．ＰｉｇｍｅｎｔＹｅｌｌｏｗ−９５、Ｃ．Ｉ．Ｐｉｇｍｅｎｔ  Ｙｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．等が挙げられる。なお、本例に適用可能な有機顔料はこれらに限定されない。
【０２０５】
インクには記録媒体への定着性を上げる定着用樹脂を添加することが好ましい。また、当該定着用樹脂はインクの転写性も向上することができる。インクに含有させる定着用樹脂としては、アクリル系、ウレタン系、ポリエステル系、ビニル系、スチレン系等が考えられる。定着性向上といった機能を充分に発現させるには、比較的高分子のポリマーを高濃度（１重量％〜２０重量％）に添加することが必要である。しかし、上記材料を液体に溶解させて添加しようとすると高粘度化し、吐出性が低下する。適切な材料を高濃度に添加し、かつ、粘度上昇を抑えるには、ラテックスとして添加する手段が有効である。ラテックス材料としては、アクリル酸アルキル共重合体、カルボキシ変性ＳＢＲ（スチレン−ブタジエンラテックス）、ＳＩＲ（スチレン−イソプレン）ラテックス、ＭＢＲ（メタクリル酸メチル−ブタジエンラテックス）、ＮＢＲ（アクリロニトリル−ブタジエンラテックス）等が考えられる。ラテックスのガラス転移点Ｔｇは、プロセス上定着時に影響の強い値であり、常温保存時の安定性と加熱後の転写性を両立するために、５０℃以上１２０℃以下であることが好ましい。更に最低造膜温度ＴＭＦＴは、プロセス上定着時に影響の強い値であり、低温で充分な定着を得るために１００℃以下が好ましく、５０℃以下がより好ましい。
【０２０６】
上記の如く構成されたインクジェット記録装置１０（１０’）は、中間転写ベルト１２の画像形成領域に温度に応じてインクに対する濡れ性が変化する感温性材料を適用し、印字部１４の直下の描画部３２では、画像形成領域を親液性として画像形成性を確保し、転写部２０においては撥液性として転写性（離型性）を確保するように中間転写ベルト１２の温度を制御する。したがって、簡便な方法で１次画像形成時の画像形成性と、転写時の転写性を両立することができ、好ましい画像形成（画像記録）が実現される。
【０２０７】
＜変形例＞
次に、本発明の実施形態に係る変形例について説明する。中間転写ベルト１２のような非浸透性媒体に対してインクなどの液体を用いて画像を形成する場合には、インクの付与に先立って記録性向上液を付与する構成が好ましい。記録性向上液はインクを増粘させる効果を持つ液体を用いることができる。インク中の顔料を凝集させる効果をもつ液体が好ましい。
【０２０８】
即ち、記録性向上液にはインクと反応してインクを増粘する機能やインクを凝集させる機能を有する液体が適用される。図１４(a)には、中間転写ベルト１２に記録性向上液を付与する記録性向上液付与手段を備える態様を示す。なお、図１４(a)中、図１と同一または類似する部分には同一の符号を付し、その説明は省略する。
【０２０９】
図１４(a)に示すように、インクジェット記録装置１０１は、印字部１４の中間転写ベルト搬送方向上流側に記録性向上液（処理液）を打滴する処理液ヘッド１３を備えている。即ち、中間転写ベルト１２の画像形成領域が処理液ヘッド１３の直下に位置するタイミングで画像データに応じて記録性向上液が付与され、その後、印字部１４から各色インクが打滴される。記録性向上液上に着弾したインクは記録性向上液と反応して瞬時に凝集（不溶化）するので、中間転写ベルト１２上における打滴インク同士の干渉が防止される。
【０２１０】
記録性向上液には、ポリマー粒子が含有されていることが好ましい。このポリマー粒子は、中間転写ベルト１２上の１次画像が乾燥や振動の影響で動くのを防ぎ、画像形成性を向上させる働きを有している。記録性向上液の非浸透媒体への濡れ性良化、液の消泡を促進し、粒子の分散性向上のために、記録性向上液に界面活性剤を添加させることが好ましい。
【０２１１】
処理液ヘッド１３には、図３〜図５で説明したヘッド５０と同様の構成を適用することができる。なお、記録性向上液はインクと同程度の解像度は必要とされないので、記録性向上液の打滴密度をインクの打滴密度よりも低くする態様も可能である。例えば、記録性向上液のドットのサイズをインク液滴のドットサイズの数倍とすることも可能である。即ち、図３に示すヘッド５０のノズル密度よりも処理液ヘッドのノズル密度を低くしてもよい。
【０２１２】
図１４(a)には、記録性向上液付与手段としてインクジェット方式（インクジェットヘッド）を適用する態様を例示したが、図１４(b)に示すインクジェット記録装置１０１’のように、塗布ローラ１３Ａ’を含む塗布部１３’による塗布方式を適用してもよい。
【０２１３】
図１４(a)に示すインクジェット方式を適用する場合には、グリセリンやジエチレングリコールといった高沸点溶媒を数１０重量％添加して吐出性を維持することが有効である。一方、図１４(b)に示す塗布ローラ１３Ａ’を用いた塗布方式では、高沸点溶媒を添加してもしなくてもよい。中間転写ベルト１２が常温で撥液性の高い材質である場合には、界面活性剤をフッ素系のものに変更するとともにより高い添加量で加え、低表面張力化したものを中間転写ベルト１２上にローラ塗布する構成が好ましい。
【０２１４】
記録性向上液に含まれる酸は２ピロリドン−５カルボン酸、メタンスルホン酸、リン酸、エタンジスルホン酸等を好ましく用いることができる。
【０２１５】
記録性向上液のｐＨは３．６であり、インクのｐＨは８．０から８．９であった。インクに分散されている顔料や反応性ラテックスは、低ｐＨの記録性向上液と混ざると凝集する。インクセットについては、Ｃａ２＋、Ｍｇ２＋、Ａｌ３＋、Ｆｅ２＋、Ｆｅ３＋、Ｚｎ２＋、Ｎｉ２＋、Ｃｏ２＋、Ｃｕ２＋といった多価金属イオンによる凝集反応でもよいし、Ｐｏｌｙａｌｌｙｌａｍｉｎｅ、Ｐｏｌｙｅｔｈｙｌｅｎｅ  ｉｍｉｎｅといったカチオン性ポリマーが分散されている記録性向上液を用いても実質的な効果は同じである。
【０２１６】
本例に好適に用いられる顔料インクの一例は以下のとおりである.
顔料                                    ４重量％
定着用樹脂ラテックス                    ８重量％
グリセリン                            ２０重量％
ジエチレングリコール                  １０重量％
オルフィンＥ１０１０（日信化学工業製）  ２重量％
イオン交換水                            残量
また、本例に好適に用いられる記録性向上液の一例は以下のとおりである.
フッ素系界面活性剤                      ３重量％
ｐＨ調整剤（酸）                      １０重量％
イオン交換水                            残量
更に、記録性向上液を中間転写ベルト１２に付与した後に乾燥させる記録性向上液乾燥手段を備える態様も好ましい。図１５(a)には、記録性向上液乾燥手段としてファン１５を備えるインクジェット記録装置１４０を図示する。
【０２１７】
中間転写ベルト１２上において、記録性向上液がある一定上の厚みになると、その上からインク液滴を打滴してもインク液滴が中間転写ベルト１２上に付着せず、画像乱れが発生することがある。このような場合には、記録性向上液を中間転写ベルト１２に付与した後に乾燥させることで、記録性向上液の厚みに依存することなく中間転写ベルト１２上に均一なドットを形成することが可能である。なお、図１５(a)に示すファン１５に代わり、図１５(b)に示すインクジェット記録装置１４０’のようにヒータ１５’を備える態様も可能である。
【０２１８】
図１４(a),(b)及び図１５(a),(b)に示す２液系を採用した装置構成によれば、中間転写ベルト１２上における着弾干渉による画像劣化を防止でき、好ましい画像を得ることが可能となる。
【０２１９】
＜画像形成性、転写性の確認結果＞
次に、本発明の画像形成性及び転写性の確認結果について説明する。
【０２２０】
先ず、常温（３０℃環境下）における画像形成性を目視で評価した。具体的には、中間転写ベルト１２上に、表面洗浄のためにコロナ放電処理（Shinko社、CoronaMaster PS series）を行い、均一に記録性向上液を付与した後に記録性向上液を乾燥させ、２．５ｐｌのインクを搬送速度５００ｍｍ／ｓ、打滴密度６００ｄｐｉ×６００ｄｐｉ、描画幅約５ｍｍで打滴して孤立ドット複数形成し、ドットの形成位置及びドットのサイズを顕微鏡で拡大して目視で確認した。中間転写ベルト１２の表面層１００の材質をＮＢＲ、シリコーンゴム、ＳＩＦＥＬとして、それぞれの中間転写ベルト１２について同一条件で同一の確認を行った。その結果を図１６に示す。
【０２２１】
図１６の画像形成性評価は、インクが弾かれている場合（ドット位置異常及びドットサイズ異常のうち少なくとも何れか一方が発生している場合）を×、インクが綺麗に付与されている場合（ドット位置異常及びドットサイズ異常の何れも発生していない場合）を○とした。
【０２２２】
シリコーンゴムは常温における表面自由エネルギーが１５（ｍＮ／ｍ）未満であり、記録性向上液自体を綺麗に（均一に）付与できないため、中間転写ベルト１２上でインクが弾かれてしまう。一方、ＮＢＲやＳＩＦＥＬでは記録性向上液を均一に付与することができ良好な画像形成性が確認された。
【０２２３】
図１６の転写率（％）は次のように求めた。表面洗浄のためにコロナ放電処理（Shinko社、CoronaMaster PS series）を行い、その後、インク液滴サイズ２．５ｐｌ、描画密度１２００ｄｐｉ×１２００ｄｐｉにてべた画像の描画を行う。中間転写ベルト１２上の１次画像（べた画像）を顕微鏡で拡大し、当該１次画像を２値化処理して面積に換算しその値をＳ１とする。また、Ｃ２紙（商品名、富士ゼロックス社製、モノクロカラー兼用コピーペーパー）に転写温度１００℃、中間転写ベルト１２の搬送速度５００ｍｍ／ｓで転写した後に、Ｃ２紙上の画像を顕微鏡で拡大し、当該記録画像を２値化処理して面積に換算しその値をＳ２とした。このようにして求められたＳ１に対するＳ２の比を転写率とし導出した。
【０２２４】
転写部２０における中間転写ベルト１２の温度を１００℃に加熱した際には、何れの材料でも高い転写率（８０％以上）を得られる。しかし、シリコーンゴムを用いる場合には、先に述べたように中間転写ベルト１２上に記録性向上液を均一に塗布することができないので、中間転写ベルト１２上ではインクが弾かれて１次画像が形成されているので、描画性能は不足している。即ち、本例に示す中間転写ベルト１２の表面層１００には、シリコーンゴムは好ましくないといえる。
【０２２５】
上述した確認結果と図９に示す各材料の物性値から、１次画像形成時の中間転写ベルト１２に対する水の接触角をα１とし、転写時の中間転写ベルト１２に対する水の接触角をα２とすると、次式
α２−α１≧１０°
を満たし、また、Ｏｗｅｎｓ−Ｗｅｎｄｔで求められる中間転写ベルト１２の表面層１００の表面のエネルギーについて、１次画像形成時の中間転写ベルト１２の表面自由エネルギーをγ１、転写時の中間転写ベルト１２の表面自由エネルギーをγ２とすると、次式
γ１−γ２≧５（ｍＮ／ｍ）
の条件を満たすことで、中間転写ベルト１２の好ましい画像形成性と好ましい転写性の両方の性能が確保される。上述した接触角の条件と表面自由エネルギーの条件の両方を満たす材質が本例に最も適したものであるといえる。
【０２２６】
即ち、転写時の温度における中間転写ベルト１２の画像形成面１２Ａの水の接触角α２と、１次画像形成時の温度における中間転写ベルト１２の画像形成面１２Ａの水の接触角α１との差が１０°以上であり、また、１次画像形成時の温度における中間転写ベルト１２の表面層１００の表面自由エネルギーγ１と、転写時の温度における中間転写ベルト１２の表面層１００の表面自由エネルギーγ２との差が５（ｍＮ／ｍ）以上であれば、画像形成性と転写性の両立が可能である。
【０２２７】
次に、本実施形態の他の変形例を説明する。図１７には、本実施形態の他の変形例に係るインクジェット記録装置１６０を図示する。
【０２２８】
近年、インクジェット記録装置において、省電力化を図りながら機能を向上させる装置構成が提案されるようになってきた。インクジェット記録装置には多数の制御基板が備えられており、これらの制御基板を効率的に冷却して制御基板に搭載されている素子の安定化及び長寿命化を図ることが重要となっている。例えば、特開２００３−２５１７９１には、駆動回路チップから発生した熱をキャリッジ外に配置した放熱部材に輸送することで、キャリッジの重量増加を抑制しつつ放熱部材を省スペースで配置するインクジェット記録装置が記載されている。
【０２２９】
更には、近年、省電力化及び環境対応が重要視される中で、これら素子冷却で生じる廃熱をインク加熱に用いて、より率先してインクジェットヘッドの吐出機能向上に利用しようという対応が取られるようになってきた。例えば、特開２００５−２８０１４１には、パワートランジスタに生じた熱をヒートシンク、放熱フィン、締結部材を介してインクチューブに伝導して、インクチューブ内のインクを温める技術が記載され、特開２００５−９６４１５には、メディアの冷却で生じる廃熱をインク加熱に用いる事例が開示されている。
【０２３０】
しかし、上述した技術では、装置内の廃熱の利用方法がインクの加熱のみに限定されているので、廃熱を効率的に利用しているとはいい難い。一方、転写方式を適用したインクジェット記録装置内では、転写プロセスにおいて加熱を行なうことが多く、転写部２０や定着ローラ対２２による定着処理における加熱プロセスにも廃熱を利用することが可能である。本発明では、装置内における加熱及び冷却の効率化を行なうことを目的の１つとしている。
【０２３１】
本変形例に係るインクジェット記録装置１６０は、冷却媒を内部に封入したヒートパイプ１６２によって被加熱領域（例えば、転写部２０によって加熱される領域）と、被冷却領域（例えば、冷却部２６によって冷却される領域）と、を接続する構造を採用し、記録動作時の消費電力を抑えることができ、より好ましい実施形態であるといえる。なお、本変形例に適用されるヒートパイプ１６２（熱輸送手段）には、冷却部２６の説明で例示したヒートパイプ方式を用いることが可能である。
【０２３２】
図１７に示すインクジェット記録装置１６０では、加熱処理プロセスを含む被加熱領域１６４と冷却処理プロセスを含む被却処理領域１６６との間をヒートパイプ１６２によってつなぎ、被加熱領域１６４と被冷却領域１６６との間の熱輸送を可能に構成されている。
【０２３３】
被加熱領域１６４とは、背面ローラ２０Ａや転写ローラ２０Ｂ、溶媒除去後であり、かつ、転写前の中間転写ベルト１２（１次画像）を予備加熱するヒータ１６５などを用いて加熱処理を行う機能ブロックの概念を表している。また、被冷却領域１６６は、冷却部２６などを用いて冷却処理を行う機能ブロックの概念を表している。
【０２３４】
即ち、被冷却領域１６６の廃熱を被加熱領域１６４に利用することで、当該廃熱をより効率的に利用することができる。なお、被加熱領域１６４には、ヘッド１４Ｋ，１４Ｃ，１４Ｍ，１４Ｙ，１４ＬＣ，１４ＬＭから吐出される前のインクを加熱する加熱処理部などを含んでいてもよく、被冷却領域１６６には、制御基板や装置各部のモータなどの発熱部品の冷却処理部含んでいてもよい。
【０２３５】
このようにヒートパイプを具備して被冷却領域１６６の廃熱を被加熱領域１６４で利用する態様によれば、装置内の省エネルギー化を図ることができ、被加熱領域１６４の構成を簡素化することが可能である。
【０２３６】
〔第２実施形態〕
次に、本発明の第２実施形態について説明する。図１８には、第２実施形態に係るインクジェット記録装置２００の全体構成を示す。なお、第２実施形態中、先に説明した第１実施形態と同一または類似する部分には同一の符号を付し、その説明は省略する。
【０２３７】
図１８に示すインクジェット記録装置２００は、中間転写ベルト１２に温度変化のある材質を塗布した後に描画プロセスが行われるように構成されている。「温度変化のある材質」とは、温度によってインク濡れ性の異なる材質であり、具体的には、石油系ワックス、天然ワックス（植物系、動物系、好物系）、合成ワックスなどが挙げられる。より具体的には、エステルワックスとして、カルナバワックス、モンタンワックス、ライスワックスが挙げられる。また、石油系ワックスとして、パラフィンワックス、ポリエチレンワックスが挙げられる。
【０２３８】
上記のワックスは、低温側で固体となり高温側で液体となるため、低温側で画像形成性が良化し、高温側で転写性が良化することになる。即ち、描画時における中間転写ベルト１２の温度を低温側とし、転写時における中間転写ベルト１２の温度を高温側にすることで、好ましい画像形成性と好ましい転写性の両立が実現される。
【０２３９】
特に、ポリイミド基材の上にフッ素化ポリエーテル骨格と末端のシリコーン架橋反応基の複合材料であるＳＩＦＥＬ層を厚み３〜２０μｍ程度で形成し、更に、塗布ローラ２０２Ａ（ワックス塗布部２０２）でワックスとしてポリエチレングリコールをＳＩＦＥＬ層の上に全面付与する構成が好ましい。なお、ワックスの熱特性としては３０〜７０℃程度で急峻に軟化するシャープメルト性に優れた材質がよい。
【０２４０】
中間転写ベルト１２の表面材質としてワックスを付与する際には、加熱塗布ローラ（塗布ローラ２０２にヒータを内蔵した構造）で一度軟化したワックスを中間転写ベルト１２の画像形成面１２Ａ（画像形成領域のみでも可）に付与し、冷却部２６による冷却処理によって徐々に固化するワックス相の上に印字部１４からインクを打滴して１次画像を形成する。
【０２４１】
印字部１４でインクを打滴する前に表面濡れ性が向上するためには、ワックスの相変化が生じるだけの時間が必要となる。したがって、温度によって濡れ性の異なる材料（ワックス）を付与した後に、中間転写ベルト１２の画像形成面１２Ａを冷却する冷却部２６を備える必要がある。言い換えると、図１８に示すように、ワックス塗布部２０２の中間転写ベルト搬送方向の下流側に冷却部２６を備え、更に、冷却部２６の中間転写ベルト搬送方向下流側に印字部１４を備える必要がある。
【０２４２】
図１８に示すインクジェット記録装置２００では、印字部１４の直下（描画部３２）における中間転写ベルト１２の温度は２０℃以上６０℃以下が好ましく、より好ましくは４０℃（±１０℃）である。また、転写部２０における中間転写ベルト１２の温度（転写温度）は、８０℃以上１００℃以下が好ましい。
【０２４３】
本発明では、中間転写ベルト１２の表面（表面層１００）の温度制御を行い、描画性と転写性を両立することを主たる目的としているため、ワックスやオイル等の離型層を描画に先立って付与し、離型層の溶融、粘度低下によって転写性を上げようといった離型層方式において良好な描画性を得ることが難しく、描画性と転写性を両立することは困難である。なお、本発明に転写助材として離型層を備えることは可能である。
【０２４４】
上記の如く構成されたインクジェット記録装置２００では、インク打滴に先立って中間転写ベルト１２の画像形成面１２Ａにワックスを塗布するとともに、ワックスが塗布された中間転写ベルト１２を当該ワックスが固体となる温度以下になるまで冷却した後に印字部１４からインクを打滴して１次画像を形成し、更に、転写部２０において当該ワックスが液体になる温度まで加熱して１次画像を記録媒体１８に転写するので、良好な画像形成性と良好な転写性を両立した好ましい画像形成が行われる。
【０２４５】
図１７に示すインクジェット記録装置２００に対して、記録性向上液を付与する記録性向上液付与手段を備える態様がより好ましい。
【０２４６】
上述した第１、第２実施形態では、記録媒体に画像を記録するインクジェット記録装置を例示したが、本発明の適用範囲はインクジェット記録装置に限定されず、液体によって画像（パターン）を形成し、転写方式を適用可能な画像形成装置、塗布装置などに広く適用可能である。
【０２４７】
また、本発明は上述した第１、第２実施形態に示した構成に限定されるものでなく、本明細書で説明した構成は本発明の趣旨を逸脱しない範囲で適宜変更することが可能である。
【図面の簡単な説明】
【０２４８】
【図１】本発明の第１実施形態に係るインクジェット記録装置の概略構成図
【図２】図１に示すインクジェット記録装置の印字部周辺の要部平面図
【図３】図１に示すヘッドの構成例を示す平面透視図
【図４】図３中４−４線に沿う断面図
【図５】図３に示すヘッドのノズル配列を示す拡大図
【図６】図１に示すインクジェット記録装置のインク供給系の構成を示す概略図
【図７】図１に示すインクジェット記録装置の制御系の構成を示す概略図
【図８】図１に示す中間転写ベルトの構造例を示す断面図
【図９】中間転写ベルトの温度と接触角の関係を説明する説明図
【図１０】図９に結果を示す評価実験に用いたプローブ液の説明図
【図１１】図１に示すインクジェット記録装置の温度サイクルを説明する説明図
【図１２】図１に示すインクジェット記録装置の温度制御の一例を示すフローチャート
【図１３】図１に示すインクジェット記録装置の変形例に係るインクジェット記録装置の概略構成図
【図１４】図１に示すインクジェット記録装置の他の変形例に係るインクジェット記録装置の概略構成図
【図１５】図１４に示すインクジェット記録装置の好ましい態様を示す概略構成図
【図１６】画像形成性と転写性の評価実験結果を説明する説明図
【図１７】図１に示すインクジェット記録装置の更に他の変形例に係るインクジェット記録装置の概略構成図
【図１８】本発明の第２実施形態に係るインクジェット記録装置の概略構成図
【符号の説明】
【０２４９】
１０，１２２，２２２…記録媒体、１２…第１の処理液、１４、３４…インク液滴、１６…凝集体、２０…第２の処理液、２４，１１８Ａ，２１８Ａ…吸収ローラ、１００，２００…インクジェット記録装置、１１２Ｋ，１１２Ｙ，１１２Ｍ，１１２Ｃ，２１２Ｋ，２１２Ｃ，２１２Ｍ，２１２Ｙ…インクジェットヘッド、１１２Ｓ１，２１２Ｓ１…第１の処理液ヘッド、１１２Ｓ２，２１２Ｓ２…第２の処理液ヘッド、１１６…中間転写媒体
【図１】
2009214439.tif 000015
【図２】
2009214439.tif 000016
【図３】
2009214439.tif 000017
【図４】
2009214439.tif 000018
【図５】
2009214439.tif 000019
【図６】
2009214439.tif 000020
【図７】
2009214439.tif 000021
【図８】
2009214439.tif 000022
【図９】
2009214439.tif 000023
【図１０】
2009214439.tif 000024
【図１１】
2009214439.tif 000025
【図１２】
2009214439.tif 000026
【図１３】
2009214439.tif 000027
【図１４】
2009214439.tif 000028
【図１５】
2009214439.tif 000029
【図１６】
2009214439.tif 000030
【図１７】
2009214439.tif 000031
【図１８】
2009214439.tif 000032